(57)【特許請求の範囲】
【請求項１】
ヘルパ無線送信／受信ユニット（Ｈ−ＷＴＲＵ）とのクロスリンク（ＸＬ）を確立するための端末ＷＴＲＵ（Ｔ−ＷＴＲＵ）であって、
送信機と、
前記Ｈ−ＷＴＲＵから基本システム情報を受信するように構成された受信機と、
前記基本システム情報に基づいて、前記Ｈ−ＷＴＲＵとのＸＬを確立するかを判定するように構成されたプロセッサと
を備え、
前記Ｔ−ＷＴＲＵが、前記Ｈ−ＷＴＲＵとのＸＬを確立すると判定したことを条件に、前記送信機は、Ｈ−ＷＴＲＵとして選択されたメッセージを前記Ｈ−ＷＴＲＵに送信するように構成され、
前記Ｔ−ＷＴＲＵが前記Ｈ−ＷＴＲＵに関連付けられたセルから除外されていることを条件に、前記プロセッサは、前記Ｈ−ＷＴＲＵとの前記ＸＬを確立しないと判定する
ことを特徴とするＴ−ＷＴＲＵ。
【請求項２】
前記基本システム情報は、公衆陸上移動通信網（ＰＬＭＮ）識別リスト、トラッキングエリアコード、または前記Ｈ−ＷＴＲＵに関連付けられたセルの識別を含んでいることを特徴とする請求項１に記載のＴ−ＷＴＲＵ。
【請求項３】
ヘルパ無線送信／受信ユニット（Ｈ−ＷＴＲＵ）とのクロスリンク（ＸＬ）を確立するための端末ＷＴＲＵ（Ｔ−ＷＴＲＵ）であって、
送信機と、
前記Ｈ−ＷＴＲＵから基本システム情報を受信するように構成された受信機と、
前記基本システム情報に基づいて、前記Ｈ−ＷＴＲＵとのＸＬを確立するかを判定するように構成されたプロセッサと
を備え、
前記Ｔ−ＷＴＲＵが、前記Ｈ−ＷＴＲＵとのＸＬを確立すると判定したことを条件に、前記送信機は、Ｈ−ＷＴＲＵとして選択されたメッセージを前記Ｈ−ＷＴＲＵに送信するように構成され、
前記Ｔ−ＷＴＲＵが緊急コールに対して前記ＸＬを要求していることを条件に、前記プロセッサは、前記Ｈ−ＷＴＲＵとの前記ＸＬを確立すると判定する
ことを特徴とするＴ−ＷＴＲＵ。
【請求項４】
ヘルパ無線送信／受信ユニット（Ｈ−ＷＴＲＵ）とのクロスリンク（ＸＬ）を確立するための端末ＷＴＲＵ（Ｔ−ＷＴＲＵ）であって、
送信機と、
前記Ｈ−ＷＴＲＵから基本システム情報を受信するように構成された受信機と、
前記基本システム情報に基づいて、前記Ｈ−ＷＴＲＵとのＸＬを確立するかを判定するように構成されたプロセッサと
を備え、
前記Ｔ−ＷＴＲＵが、前記Ｈ−ＷＴＲＵとのＸＬを確立すると判定したことを条件に、前記送信機は、Ｈ−ＷＴＲＵとして選択されたメッセージを前記Ｈ−ＷＴＲＵに送信するように構成され、
公衆陸上移動通信網（ＰＬＭＮ）が優先ＰＬＭＮでないことを条件に、前記プロセッサは、前記Ｈ−ＷＴＲＵとの前記ＸＬを確立しないと判定する
ことを特徴とするＴ−ＷＴＲＵ。
【請求項５】
ヘルパ無線送信／受信ユニット（Ｈ−ＷＴＲＵ）とのクロスリンク（ＸＬ）を確立するための端末ＷＴＲＵ（Ｔ−ＷＴＲＵ）であって、
送信機と、
前記Ｈ−ＷＴＲＵから基本システム情報を受信するように構成された受信機と、
前記基本システム情報に基づいて、前記Ｈ−ＷＴＲＵとのＸＬを確立するかを判定するように構成されたプロセッサと
を備え、
前記Ｔ−ＷＴＲＵが、前記Ｈ−ＷＴＲＵとのＸＬを確立すると判定したことを条件に、前記送信機は、Ｈ−ＷＴＲＵとして選択されたメッセージを前記Ｈ−ＷＴＲＵに送信するように構成され、
前記Ｔ−ＷＴＲＵが、前記Ｈ−ＷＴＲＵとの前記ＸＬを確立しないと判定したことを条件に、前記送信機は、アソシエーションメッセージを近隣プレゼントＷＴＲＵ（ＮＰ−ＷＴＲＵ）に送信するようにさらに構成されている
ことを特徴とするＴ−ＷＴＲＵ。
【請求項６】
ヘルパ無線送信／受信ユニット（Ｈ−ＷＴＲＵ）選択を制御するための基地局であって、
第１のメッセージを第１の近隣プレゼントＷＴＲＵ（ＮＰ−ＷＴＲＵ）から受信するように構成された受信機であって、前記第１のメッセージは、近隣シーキングＷＴＲＵ（ＮＳ−ＷＴＲＵ）からの近隣探索開始送信（ＮＤＩＴ）の受信を示している、受信機と、
タイマをスタートさせるように構成されたプロセッサと
を備え、
前記プロセッサは、前記タイマが満了すると、Ｈ−ＷＴＲＵを選択するようにさらに構成されており、
前記基地局は、近隣探索応答メッセージを前記Ｈ−ＷＴＲＵに送信するように構成された送信機であって、前記近隣探索応答メッセージは、ＮＳ−ＷＴＲＵと関連付けられたクロスリンク（ＸＬ）データを中継するための前記Ｈ−ＷＴＲＵの選択を示している、送信機をさらに備え、
前記受信機は、第２のメッセージを第２のＮＰ−ＷＴＲＵから受信するようにさらに構成されており、前記第２のメッセージは、前記近隣シーキングＷＴＲＵ（ＮＳ−ＷＴＲＵ）からの前記近隣探索開始送信（ＮＤＩＴ）の受信を示しており、および、前記第２のメッセージは、前記タイマが満了する前に受信される
ことを特徴とする基地局。
【請求項７】
前記Ｈ−ＷＴＲＵは、第１のＮＰ−ＷＴＲＵまたは第２のＮＰ−ＷＴＲＵであることを特徴とする請求項６に記載の基地局。
【請求項８】
前記第１のＮＰ−ＷＴＲＵは、前記ＮＤＩＴを受信するとＲＲＣ−ＣＯＮＮＥＣＴＥＤ状態に遷移し、および、前記第２のＮＰ−ＷＴＲＵは、前記ＮＤＩＴを受信すると、ＲＲＣ−ＣＯＮＮＥＣＴＥＤ状態に遷移することを特徴とする請求項６に記載の基地局。
【発明の詳細な説明】
【技術分野】
【０００１】
本発明は無線通信に関する。
【背景技術】
【０００２】
本出願は、２０１１年１２月８日に出願された米国仮特許出願第６１／５６８，３３２号の利益を主張するものであり、その出願の内容が、完全に記載されているかのように参照によって本明細書に組み込まれている、
【０００３】
無線データサービスに対するユーザ要求が増大し続けているため、ユーザ要求をサポートするネットワークインフラストラクチャの展開が急速に広まった。ネットワークインフラストラクチャの増加は、増大するユーザ数およびユーザによる増加したデータ使用をサポートするための、ネットワークカバレッジおよび容量を増大させるために、無線通信セルのサイズを縮小させることを目的としている。増加するネットワークサイズの１つの欠点は、結果として生じる大量のモビリティイベントに起因するオーバヘッドの増加である。
【０００４】
カバレッジ外デバイス（out-of-coverage device）に対してネットワークカバレッジを提供するために、カバレッジ外無線デバイスからネットワークにデータを中継するために、ネットワークカバレッジ内にある無線デバイスが使用されることがある。クロスリンク（ＸＬ：cross link）は、カバレッジ外デバイスとネットワークカバレッジを有しているデバイスとの間で確立される。ＸＬは、ネットワークとのデータトラフィックを促進する。さらに、両方のデバイスがネットワークカバレッジ内にあるときに、ＸＬが、一方のデバイスに増加された容量を提供するために使用されることがある。
【０００５】
無線デバイス間のＸＬ確立を制御するための方法および装置を有することが望ましく、それによって、無線デバイスがアイドルモードにあってもよい。また、インフラストラクチャカバレッジと無線デバイスカバレッジとの間のハンドオーバを可能に方法および装置が望ましい。
【発明の概要】
【０００６】
クロス確立（cross establishment）を制御するための方法および装置が提供される。方法および装置では、端末無線送信／受信ユニット（Ｔ−ＷＴＲＵ）は、ヘルパＷＴＲＵ（Ｈ−ＷＴＲＵ：helper WTRU）とのクロスリンク（ＸＬ）を確立してもよい。Ｔ−ＷＴＲＵは、Ｈ−ＷＴＲＵから基本システム情報を受信するための受信機を含んでもよい。Ｔ−ＷＴＲＵは、基本システム情報に基づいて、Ｈ−ＷＴＲＵとのＸＬを確立するかを判定するように構成されたプロセッサを含んでもよい。Ｔ−ＷＴＲＵが、Ｈ−ＷＴＲＵとのＸＬを確立することを判定するという条件で、Ｔ−ＷＴＲＵは、Ｈ−ＷＴＲＵに、Ｈ−ＷＴＲＵとして選択されたメッセージを送信するように構成された送信機をさらに含む。
【０００７】
基本システム情報は、公衆陸上移動通信網（ＰＬＭＮ）識別リスト、トラッキングエリアコード、またはＨ−ＷＴＲＵに関連付けられたセル識別を含んでもよい。加えて、Ｔ−ＷＴＲＵのプロセッサは、Ｔ−ＷＴＲＵが、Ｈ−ＷＴＲＵに関連付けられたセルから除外されている（barred）という条件で、Ｈ−ＷＴＲＵとのＸＬを確立しないことを判定してもよい。一実施形態では、プロセッサは、Ｔ−ＷＴＲＵが、緊急コールに対してＸＬを要求とするという条件で、Ｈ−ＷＴＲＵとのＸＬを確立することを判定する。
【図面の簡単な説明】
【０００８】
より詳細には、添付の図面とともに例として提供される、以下の詳細から理解がされるであろう。
【図１Ａ】１つまたは複数の開示された実施形態を実装することができる例示的な通信システムのシステム図である。
【図１Ｂ】図１Ａに示された通信システム内で使用することができる例示的な無線送信／受信ユニット（ＷＴＲＵ）のシステム図である。
【図１Ｃ】図１Ａに示された通信システム内で使用することができる例示的な無線アクセスネットワークおよび例示的なコアネットワークのシステム図である。
【図２Ａ】ヘルパ無線送信／受信ユニット（Ｈ−ＷＴＲＵ）とのクロスリンク（ＸＬ）を有している端末無線送信／受信ユニット（Ｔ−ＷＴＲＵ）を示す図である。
【図２Ｂ】直接的な従来型リンク（ＴＲＬ：traditional link）確立に対するセルまたは基地局の再選択を示す図である。
【図２Ｃ】ＴＲＬ確立障害（failure）に基づいたＸＬ確立を示す図である。
【図３】ＸＬ確立プロシージャを示す図である。
【図４】ＷＴＲＵの無線リソース制御（ＲＲＣ）状態を示す図である。
【図５】ＷＴＲＵのＲＲＣ下位状態を示す図である。
【図６】インフラストラクチャカバレッジモードからＷＴＲＵツーＷＴＲＵ（Ｗ２Ｗ：WTRU to WTRU）カバレッジモードへのハンドオーバを示す図である。
【図７】Ｗ２Ｗカバレッジをトリガするためのメッセージフローチャートを示す図である。
【図８】セル選択または再選択もしくはＷ２Ｗカバレッジのトリガリングの状態遷移図を示す図である。
【図９Ａ】ＮＳ−ＷＴＲＵによる近隣探索（neighbor discovery）を示す図である。
【図９Ｂ】ＮＳ−ＷＴＲＵによる近隣探索（neighbor discovery）を示す図である。
【図１０】集中型Ｈ−ＷＴＲＵ選択においてネットワークに近隣探索を報告するためのメッセージフローチャートを示す図である。
【図１１】Ｈ−ＷＴＲＵ選択に対するメッセージフローチャートを示す図である。
【図１２】Ｗ２Ｗカバレッジにおけるリソース割り当てに対するメッセージフローチャートを示す図である。
【図１３】分散型制御におけるアソシエーション形成（association formation）に対するメッセージフローチャートを示す図である。
【図１４】アソシエーション形成に対するメッセージフローチャートを示す図である。
【図１５】キープアライブメッセージ交換に対するメッセージフローチャートを示す図である。
【図１６】共通ＤＲＸサイクルの長さと専用ＤＲＸサイクルの長さとの関係を示す図である。
【図１７】ページング機会（paging occasion）のオフセットを示す図である。
【図１８】ダウンリンクチャネルおよびＸＬに対するダウンリンクチャネルマッピングを示す図である。
【図１９】アップリンクチャネルおよびＸＬに対するアップリンクチャネルマッピングを示す図である。
【図２０】ＸＬの物理レイヤに対するフレームストラクチャを示す図である。
【図２１】サブフレームに対する物理チャネル多重化を示す図である。
【発明を実施するための形態】
【０００９】
図１Ａは、１つまたは複数の開示された実施形態を実装することができる例示的な通信システム１００を示す図である。通信システム１００は、複数の無線ユーザに、音声、データ、ビデオ、メッセージング、およびブロードキャストなどのコンテンツを提供する多重アクセスシステムであってもよい。通信システム１００は、無線帯域幅を含むシステムリソースの共有を通じて、複数の無線ユーザがそのようなコンテンツにアクセスすることを可能にしてもよい。たとえば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）などの１つまたは複数のチャネルアクセス方法を採用してもよい。
【００１０】
図１Ａに示されるように、通信システム１００は、無線送信／受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、および他のネットワーク１１２を含んでもよいが、開示された実施形態は、任意の数のＷＴＲＵ、基地局、ネットワーク、および／またはネットワーク要素を意図していることを理解されるだろう。ＷＴＲＵ１０２ａ、１０２ｂ、１０２ｃ、１０２ｄの各々は、無線環境で動作および／または通信するように構成された任意のタイプのデバイスであってもよい。例として、ＷＴＲＵ１０２ａ、１０２ｂ、１０２ｃ、１０２ｄは、無線信号を送信および／または受信するように構成されてもよく、ならびに、ユーザ装置（ＵＥ）、移動局、固定または移動型加入者ユニット、ページャ、携帯電話、携帯情報端末（ＰＤＡ）、スマートフォン、ラップトップ、ネットブック、パーソナルコンピュータ、無線センサ、および家電などを含んでもよい。
【００１１】
通信システム１００はまた、基地局１１４ａおよび基地局１１４ｂを含んでもよい。基地局１１４ａ、１１４ｂの各々は、コアネットワーク１０６、インターネット１１０、および／またはネットワーク１１２などの１つまたは複数の通信ネットワークへのアクセスを促進するために、ＷＴＲＵ１０２ａ、１０２ｂ、１０２ｃ、１０２ｄの少なくとも１つと無線でインターフェースするように構成された任意のタイプのデバイスであってもよい。例として、基地局１１４ａ、１１４ｂは、無線基地局（ＢＴＳ）、ＮｏｄｅＢ、ｅＮｏｄｅＢ、ホームＮｏｄｅＢ、ホームｅＮｏｄｅＢ、サイトコントローラ、アクセスポイント（ＡＰ）、および無線ルータなどであってもよい。基地局１１４ａ、１１４ｂは、それぞれ単一の要素として示されているが、基地局１１４ａ、１１４ｂは、任意の数の相互に接続された基地局および／またはネットワーク要素を含んでもよいことを理解されるだろう。
【００１２】
基地局１１４ａは、基地局コントローラ（ＢＳＣ）、無線ネットワークコントローラ（ＲＮＣ）、中継ノードなどの他の基地局および／またはネットワーク要素（図示せず）を含むことができるＲＡＮ１０４の一部であってもよい。基地局１１４ａおよび／または基地局１１４ｂは、セル（図示せず）と称されることがある、特定の地理的領域内で無線信号を送信および／または受信するように構成されてもよい。セルは、セルセクタにさらに分割されてもよい。たとえば、基地局１１４ａに関連付けられたセルは、３つのセクタに分割されてもよい。したがって、一実施形態では、基地局１１４ａは、３つの送受信機、つまり、セルの各セクタに対して１つを含んでもよい。別の実施形態では、基地局１１４ａは、多入力多出力（ＭＩＭＯ）技術を採用してもよく、したがって、セルの各セクタに対して複数の送受信機を利用してもよい。
【００１３】
基地局１１４ａ、１１４ｂは、任意の適切な無線通信リンク（たとえば、無線周波数（ＲＦ）、マイクロ波、赤外線（ＩＲ）、紫外線（ＵＶ）、可視光線など）とすることができるエアインターフェース１１６上でＷＴＲＵ１０２ａ、１０２ｂ、１０２ｃ、１０２ｄの１つまたは複数と通信してもよい。エアインターフェース１１６は、任意の適切な無線アクセス技術（ＲＡＴ）を使用して確立されてもよい。
【００１４】
特に、上述したように、通信システム１００は、多重アクセスシステムでもあってもよく、ならびに、ＣＤＭＡ、ＴＤＭＡ、ＦＤＭＡ、ＯＦＤＭＡ、およびＳＣ−ＦＤＭＡなどの１つまたは複数のチャネルアクセス方式を採用してもよい。たとえば、ＲＡＮ１０４における基地局１１４ａおよびＷＴＲＵ１０２ａ、１０２ｂ、１０２ｃは、ユニバーサルモバイルテレコミュニケーションシステム（ＵＭＴＳ）地上無線アクセス（ＵＴＲＡ）などの無線技術を実装してもよく、ＵＴＲＡは、広帯域ＣＤＭＡ（ＷＣＤＭＡ（登録商標））を使用してエアインターフェース１１６を確立してもよい。ＷＣＤＭＡは、高速パケットアクセス（ＨＳＰＡ）および／または進化型ＨＳＰＡ（ＨＳＰＡ＋）などの通信プロトコルを含んでもよい。ＨＳＰＡは、高速ダウンリンクパケットアクセス（ＨＳＤＰＡ）および／または高速アップリンクパケットアクセス（ＨＳＵＰＡ）を含んでもよい。
【００１５】
別の実施形態では、基地局１１４ａおよびＷＴＲＵ１０２ａ、１０２ｂ、１０２ｃは、ロングタームエボリューション（ＬＴＥ）および／またはＬＴＥ−Ａｄｖａｎｃｅｄ（ＬＴＥ−Ａ）を使用してエアインターフェース１１６を確立することができる、進化型ＵＭＴＳ地上無線アクセス（Ｅ−ＵＴＲＡ）などの無線技術を実装してもよい。
【００１６】
他の実施形態では、基地局１１４ａおよびＷＴＲＵ１０２ａ、１０２ｂ、１０２ｃは、ＩＥＥＥ８０２．１６（つまり、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ））、ＣＤＭＡ２０００、ＣＤＭＡ２０００  １Ｘ、ＣＤＭＡ２０００  ＥＶ−ＤＯ、Ｉｎｔｅｒｉｍ  Ｓｔａｎｄａｒｄ  ２０００（ＩＳ−２０００）、Ｉｎｔｅｒｉｍ  Ｓｔａｎｄａｒｄ  ９５（ＩＳ−９５）、Ｉｎｔｅｒｉｍ  Ｓｔａｎｄａｒｄ  ８５６（ＩＳ−８５６）、Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ（登録商標））、Ｅｎｈａｎｃｅｄ  Ｄａｔａ  ｒａｔｅ  ｆｏｒ  ＧＳＭ  Ｅｖｏｌｕｔｉｏｎ（ＥＤＧＥ）、およびＧＳＭ  ＥＤＧＥ（ＧＥＲＡＮ）などの無線技術を実装してもよい。
【００１７】
図１Ａにおける基地局１１４ｂは、無線ルータ、ホームＮｏｄｅＢ、ホームｅＮｏｄｅＢ、またはアクセスポイントでもあってもよく、ならびに、たとえば、事業所、自宅、車両、キャンパスなど局所的なエリアにおいて無線接続性を容易にするために任意の適切なＲＡＴを利用してもよい。一実施形態では、基地局１１４ｂおよびＷＴＲＵ１０２ｃ、１０２ｄは、ＩＥＥＥ８０２．１１などの無線技術を実装して、無線ローカルエリアネットワーク（ＷＬＡＮ）を確立してもよい。別の実施形態では、基地局１１４ｂおよびＷＴＲＵ１０２ｃ、１０２ｄは、ＩＥＥＥ８０２．１５などの無線技術を実装して、無線パーソナルエリアネットワーク（ＷＰＡＮ）を確立してもよい。さらなる別の実施形態では、基地局１１４ｂおよびＷＴＲＵ１０２ｃ、１０２ｄは、セルラ方式のＲＡＴ（たとえば、ＷＣＤＭＡ、ＣＤＭＡ２０００、ＧＳＭ、ＬＴＥ、ＬＴＥ−Ａなど）を利用して、ピコセルまたはフェムトセルを確立してもよい。図１Ａにおいて示されるように、基地局１１４ｂは、インターネット１１０への直接接続を有してもよい。したがって、基地局１１４ｂは、コアネットワーク１０６を介してインターネット１１０にアクセスすることを要求されなくてもよい。
【００１８】
ＲＡＮ１０４は、ＷＴＲＵ１０２ａ、１０２ｂ、１０２ｃ、１０２ｄの１つまたは複数に、音声、データ、アプリケーション、および／またはボイスオーバインターネットプロトコル（ＶｏＩＰ）サービスを提供するように構成された任意のタイプのネットワークとすることができる、コアネットワーク１０６と通信していてもよい。たとえば、コアネットワーク１０６は、呼制御、課金サービス、モバイルロケーションベースサービス、プリペイドコーリング、インターネット接続、ビデオ配信などを提供し、ならびに／または、ユーザ認証などハイレベルなセキュリティ機能を実行してもよい。図１Ａには示していないが、ＲＡＮ１０４および／またはコアネットワーク１０６は、ＲＡＮ１０４と同一のＲＡＴまたは異なるＲＡＴを採用している他のＲＡＮと直接的または間接的に通信してもよいことを理解されるであろう。たとえば、Ｅ−ＵＴＲＡ無線技術を利用することができるＲＡＮ１０４に接続されることに加えて、コアネットワーク１０６はまた、ＧＳＭ無線技術を採用している他のＲＡＮ（図示せず）と通信してもよい。
【００１９】
コアネットワーク１０６はまた、ＷＴＲＵ１０２ａ、１０２ｂ、１０２ｃ、および１０２ｄに対するゲートウェイとしてサービスして、ＰＳＴＮ１０８、インターネット１１０、および／または他のネットワーク１１２にアクセスしてもよい。ＰＳＴＮ１０８は、基本電話サービス（ＰＯＴＳ）を提供する回線交換電話ネットワークを含んでもよい。インターネット１１０は、ＴＣＰ／ＩＰインターネットプロトコルスイートにおける伝送制御プロトコル（ＴＣＰ）、ユーザデータグラムプロトコル（ＵＤＰ）、およびインターネットプロトコル（ＩＰ）などの共通通信プロトコルを使用する相互に接続されたコンピュータネットワークおよびデバイスのグローバルシステムを含んでもよい。ネットワーク１１２は、他のサービスプロバイダによって所有および／または運用される有線または無線通信ネットワークを含んでもよい。たとえば、ネットワーク１１２は、ＲＡＮ１０４と同一のＲＡＴまたは異なるＲＡＴを採用することができる、１つまたは複数のＲＡＮに接続された他のコアネットワークを含んでもよい。
【００２０】
通信システム１００におけるＷＴＲＵ１０２ａ、１０２ｂ、１０２ｃ、および１０２ｄの一部またはすべては、マルチモード機能を含んでもよく、すなわち、ＷＴＲＵ１０２ａ、１０２ｂ、１０２ｃ、１０２ｄは、異なる無線リンク上で異なる無線ネットワークと通信するための複数の送受信機を含んでもよい。たとえば、図１Ａに示すＷＴＲＵ１０２ｃは、セルラベースの無線技術を採用することができる基地局１１４ａ、およびＩＥＥＥ８０２無線技術を採用することができる基地局１１４ｂと通信するように構成されてもよい。
【００２１】
図１Ｂは、例示的なＷＴＲＵ１０２のシステム図である。図１Ｂに示すように、ＷＴＲＵ１０２は、プロセッサ１１８、送受信機１２０、送信／受信要素１２２、スピーカ／マイクロフォン１２４、キーパッド１２６、ディスプレイ／タッチパッド１２８、着脱不能メモリ１０６、着脱可能メモリ１３２、電源１３４、全地球測位システム（ＧＰＳ）チップセット１３６、および他の周辺機器１３８を含んでもよい。ＷＴＲＵ１０２は、一実施形態との一貫性を維持しながら、前述の要素の任意の下位の組み合わせを含んでもよいことを理解されるであろう。
【００２２】
プロセッサ１１８は、汎用プロセッサ、特殊用途向けプロセッサ、従来型プロセッサ、デジタルシグナルプロセッサ（ＤＳＰ）、複数のマイクロプロセッサ、ＤＳＰコアと関連した１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、任意のその他の種類の集積回路（ＩＣ）、および状態マシンなどであってもよい。プロセッサ１１８は、信号符号化、データ処理、電力制御、入力／出力処理、および／またはＷＴＲＵ１０２が無線環境で動作することを可能にする任意の他の機能を実行してもよい。プロセッサ１１８は、送信／受信要素１２２に結合することができる、送受信機１２０に結合されてもよい。図１Ｂでは、プロセッサ１１８および送受信機１２０を個別のコンポーネントとして記しているが、プロセッサ１１８および送受信機１２０は、電子パッケージまたはチップに統合されてもよいことを理解されるだろう。
【００２３】
送信／受信要素１２２は、エアインターフェース１１６上で基地局（たとえば基地局１１４ａ）に信号を送信し、または、基地局から信号を受信するように構成されてもよい。たとえば、一実施形態では、送信／受信要素１２２は、ＲＦ信号を送信および／または受信するように構成されたアンテナであってもよい。別の実施形態では、たとえば、送信／受信要素１２２は、ＩＲ、ＵＶ、または可視光線信号を送信および／または受信するように構成されたエミッタ／ディテクタであってもよい。さらなる別の実施形態では、送信／受信要素１２２は、ＲＦおよび光信号の両方を送信および受信するように構成されてもよい。送信／受信要素１２２が、任意の組み合わせの無線信号を送信および／または受信するように構成されてもよいことを理解されるであろう。
【００２４】
加えて、送信／受信要素１２２は、単一の要素として図１Ｂに記されているが、ＷＴＲＵ１０２は、任意の数の送信／受信要素１２２を含んでもよい。特に、ＷＴＲＵ１０２は、ＭＩＭＯ技術を採用してもよい。したがって、一実施形態では、ＷＴＲＵ１０２は、エアインターフェース１１６上で無線信号を送信および受信するための２つ以上の送信／受信要素１２２（たとえば複数のアンテナ）を含んでもよい。
【００２５】
送受信機１２０は、送信／受信要素１２２によって送信される信号を変調し、ならびに、送信／受信要素１２２によって受信される信号を復調するように構成されてもよい。上述したように、ＷＴＲＵ１０２は、マルチモード機能を有してもよい。したがって、送受信機１２０は、たとえば、ＵＴＲＡおよびＩＥＥＥ８０２．１１などの複数のＲＡＴを介してＷＴＲＵ１０２が通信することを可能にするための複数の送受信機を含んでもよい。
【００２６】
ＷＴＲＵ１０２のプロセッサ１１８は、スピーカ／マイクロフォン１２４、キーパッド１２６、および／またはディスプレイ／タッチパッド１２８（たとえば液晶ディスプレイ（ＬＣＤ）ディスプレイユニットまたは有機発光ダイオード（ＯＬＥＤ）ディスプレイユニット）に結合されてもよく、ならびに、それらからユーザ入力データを受信してもよい。プロセッサ１１８はまた、スピーカ／マイクロフォン１２４、キーパッド１２６、および／またはディスプレイ／タッチパッド１２８にユーザデータを出力してもよい。加えて、プロセッサ１１８は、着脱不能メモリ１０６および／または着脱可能メモリ１３２などの任意のタイプの適切なメモリの情報にアクセスし、ならびに、それらにデータを格納してもよい。着脱不能メモリ１０６は、ランダムアクセスメモリ（ＲＡＭ）、リードオンリメモリ（ＲＯＭ）、ハードディスク、または任意の他のタイプのメモリ記憶デバイスを含んでもよい。着脱可能メモリ１３２は、加入者識別モジュール（ＳＩＭ）カード、メモリスティック、セキュアデジタル（ＳＤ）メモリカードなどを含んでもよい。他の実施形態では、プロセッサ１１８は、サーバまたはホームコンピュータ（図示せず）などのＷＴＲＵ１０２に物理的に配置されていないメモリの情報にアクセスし、ならびに、それらにデータを格納してもよい。
【００２７】
プロセッサ１１８は、電源１３４から電力を受信してもよく、ならびに、ＷＴＲＵ１０２における他のコンポーネントに電力を供給および／または制御するように構成されてもよい。電源１３４は、ＷＴＲＵ１０２に電力を供給するための任意の適切なデバイスであってもよい。たとえば、電源１３４は、１つまたは複数の乾電池（たとえば、ニッケル−カドミウム（ＮｉＣｄ）、ニッケル亜鉛（ＮｉＺｎ）、ニッケル水素（ＮｉＭＨ）、リチウムイオン（Ｌｉ−ｉｏｎ）など）、太陽電池、および燃料電池などを含んでもよい。
【００２８】
プロセッサ１１８はまた、ＷＴＲＵ１０２の現在の位置に関する位置情報（たとえば経度および緯度）を提供するように構成することができるＧＰＳチップセット１３６に結合されてもよい。ＧＰＳチップセット１３６からの情報に加えて、またはその代わりに、ＷＴＲＵ１０２は、基地局（たとえば基地局１１４ａ、１１４ｂ）からエアインターフェース１１６上で位置情報を受信し、ならびに／または、２つ以上の近くの基地局から受信された信号のタイミングに基づいて、その位置を判定してもよい。ＷＴＲＵ１０２は、一実施形態との一貫性を維持しながら、任意の適切な位置判定方法の手段によって位置情報を取得してもよいことを理解されるであろう。
【００２９】
プロセッサ１１８は、追加の特徴、機能、および／または有線もしくは無線の接続を提供する、１つまたは複数のソフトウェアモジュールおよび／またはハードウェアモジュールを含むことができる、他の周辺機器１３８にさらに結合されてもよい。たとえば、周辺機器１３８は、加速度計、電子コンパス、衛星送受信機、デジタルカメラ（写真またはビデオに対する）、ユニバーサルシリアルバス（ＵＳＢ）ポート、振動デバイス、テレビジョン送受信機、ハンドフリーヘッドセット、Ｂｌｕｅｔｏｏｔｈ（登録商標）モジュール、周波数変調（ＦＭ）無線ユニット、デジタル音楽プレイヤ、メディアプレイヤ、ビデオゲームプレイヤモジュール、およびインターネットブラウザなどを含んでもよい。
【００３０】
図１Ｃは、一実施形態にしたがったＲＡＮ１０４およびコアネットワーク１０６のシステム図である。上述したように、ＲＡＮ１０４は、Ｅ−ＵＴＲＡ無線技術を採用して、エアインターフェース１１６上でＷＴＲＵ１０２ａ、１０２ｂ、１０２ｃと通信してもよい。ＲＡＮ１０４はまた、コアネットワーク１０６と通信してもよい。
【００３１】
ＲＡＮ１０４は、ｅＮｏｄｅＢ１４０ａ、１４０ｂ、１４０ｃを含んでもよいが、ＲＡＮ１０４は、一実施形態との一貫性を維持しながら、任意の数のｅＮｏｄｅＢを含んでもよいことを理解されるだろう。ｅＮｏｄｅＢ１４０ａ、１４０ｂ、１４０ｃはそれぞれ、エアインターフェース１１６上で、ＷＴＲＵ１０２ａ、１０２ｂ、１０２ｃと通信するための１つまたは複数の送受信機を含んでもよい。一実施形態では、ｅＮｏｄｅＢ１４０ａ、１４０ｂ、１４０ｃは、ＭＩＭＯ技術を実装してもよい。したがって、ｅＮｏｄｅＢ１４０ａは、たとえば、複数のアンテナを使用して、ＷＴＲＵ１０２ａに無線信号を送信し、および、それから無線信号を受信してもよい。
【００３２】
ｅＮｏｄｅＢ１４０ａ、１４０ｂ、１４０ｃの各々は、特定のセル（図示せず）に関連付けられてもよく、ならびに、無線資源管理決定、ハンドオーバ決定、アップリンクおよび／またはダウンリンクにおけるユーザのスケジューリングなどを扱うように構成されてもよい。図１Ｃに示されるように、ｅＮｏｄｅＢ１４０ａ、１４０ｂ、１４０ｃは、Ｘ２インターフェース上で互いに通信してもよい。
【００３３】
図１Ｃに示されるコアネットワーク１０６は、モビリティ管理ゲートウェイ（ＭＭＥ）１４２、サービングゲートウェイ１４４、およびパケットデータネットワーク（ＰＤＮ）ゲートウェイ１４６を含んでもよい。前述の要素の各々は、コアネットワーク１０６の一部として記されているが、これらの要素の任意の１つは、コアネットワークオペレータ以外のエンティティによって所有および／または操作されてもよいことを理解されるだろう。
【００３４】
ＭＭＥ１４２は、Ｓ１インターフェースを介してＲＡＮ１０４におけるｅＮｏｄｅＢ１４２ａ、１４２ｂ、１４２ｃの各々に接続されてもよく、ならびに、制御ノードとしてサービスしてもよい。たとえば、ＭＭＥ１４２は、ＷＴＲＵ１０２ａ、１０２ｂ、１０２ｃのユーザの認証、ベアラ活性化／非活性化、およびＷＴＲＵ１０２ａ、１０２ｂ、１０２ｃの初期アタッチの間の特定のサービングゲートウェイの選択などを担当してもよい。ＭＭＥ１４２はまた、ＲＡＮ１０４と、ＧＳＭまたはＷＣＤＭＡなどの他の無線技術を採用する他のＲＡＮ（図示せず）との間で切り替えるために制御プレーン機能を提供してもよい。
【００３５】
サービングゲートウェイ１４４は、Ｓ１インターフェースを介してＲＡＮ１０４におけるｅＮｏｄｅＢ１４０ａ、１４０ｂ、１４０ｃの各々に接続されてもよい。サービングゲートウェイ１４４は、一般的に、ＷＴＲＵ１０２ａ、１０２ｂ、１０２ｃにユーザデータパケットをルーティングし、および、それらからユーザデータパケットを転送してもよい。サービングゲートウェイ１４４はまた、ｅＮｏｄｅＢ間ハンドオーバの間のユーザプレーンのアンカリング、ダウンリンクデータがＷＴＲＵ１０２ａ、１０２ｂ、１０２ｃに利用可能であるときのページングのトリガ、ならびに、ＷＴＲＵ１０２ａ、１０２ｂ、１０２ｃのコンテキストを管理および格納などの他の機能を実行してもよい。
【００３６】
サービングゲートウェイ１４４はまた、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる、ＰＤＮゲートウェイ１４６に接続されてもよい。
【００３７】
コアネットワーク１０６は、他のネットワークとの通信を容易にしてもよい。たとえば、コアネットワーク１０６は、ＰＳＴＮ１０８などの回線交換ネットワークへのアクセスをＷＴＲＵ１０２ａ、１０２ｂ、１０２ｃに提供して、ＷＴＲＵ１０２ａ、１０２ｂ、１０２ｃと、従来型陸線通信デバイスとの間の通信を容易にすることができる。たとえば、コアネットワーク１０６は、コアネットワーク１０６とＰＳＴＮ１０８との間のインターフェースとしてサービスするＩＰゲートウェイ（たとえば、ＩＰマルチメディアサブシステム（ＩＭＳ）サーバ）を含んでもよく、または、それと通信してもよい。加えて、コアネットワーク１０６は、他のサービスプロバイダによって所有かつ／または操作される他の有線または無線のネットワークを含むことができる、ネットワーク１１２へのアクセスをＷＴＲＵ１０２ａ、１０２ｂ、１０２ｃに提供してもよい。
【００３８】
以下に言及したときに、用語、従来型無線リンク（ＴＲＬ）は、ＷＴＲＵ１０２とＲＡＮ１０４との間のエアインターフェース１１６を指すものであり、エアインターフェース１１６は、ＷＴＲＵ１０２とＲＡＮ１０４との間の中継器として作動する他のＷＴＲＵによって支援されない。ＴＲＬは、Ｅ−ＵＴＲＡ、ＵＴＲＡ、ＩＥＥＥ８０２プロトコルの任意の１つ、ＣＤＭＡ２０００、およびＧＳＭなどの任意の無線技術にしたがってもよい。たとえば、ＴＲＬは、ＬＴＥ、ＬＴＥ−Ａ、またはＷＣＤＭＡエアインターフェースであってもよい。
【００３９】
ＷＴＲＵ１０２は、ネットワークカバレッジを欠いていることがあり、および、ＲＡＮ１０４との確立されたＴＲＬを有していないことがある。ＷＴＲＵ１０２は、別のＷＴＲＵと無線リンクを確立してもよく、たとえば、他のＷＴＲＵは、ＷＴＲＵ１０２の近隣にあってもよい。ＷＴＲＵは、ＲＡＮ１０４との他のＷＴＲＵの確立されたＴＲＬを介してＲＡＮ１０４へのアクセスを受信してもよい。さらに、ＷＴＲＵ１０２は、ＲＡＮ１０４との確立されたＴＲＬを有してもよいが、追加の通信容量を必要とすることがあり、および、他のＷＴＲＵの確立されたＴＲＬを介してＲＡＮ１０４への追加のアクセスを受信するために、他のＷＴＲＵと無線リンクを確立してもよい。さらに、ＷＴＲＵ１０２は、いずれかのＷＴＲＵのＴＲＬリソースも利用することなく、他のＷＴＲＵとの無線リンクを確立して、他のＷＴＲＵと直接的に通信してもよい。
【００４０】
ＷＴＲＵ１０２と他のＷＴＲＵとの間の無線リンクは、本明細書においてクロスリンク（ＸＬ）と称される。さらに、ＷＴＲＵ１０２が、他のＷＴＲＵとの確立されたＸＬを有しているときに、ＷＴＲＵ１０２は、本明細書において端末ＷＴＲＵ（Ｔ−ＷＴＲＵ）と称され、および、他のＷＴＲＵは、本明細書において、図２に関して示されるようにヘルパＷＴＲＵ（Ｈ−ＷＴＲＵ）と称される。
【００４１】
図２Ａは、Ｈ−ＷＴＲＵとのＸＬを有しているＴ−ＷＴＲＵを示す。Ｔ−ＷＴＲＵ２０１は、Ｈ−ＷＴＲＵ２０２とのＸＬ２０３を有している。Ｈ−ＷＴＲＵ２０２は、基地局１１４ａ、１１４ｂのいずれか１つとすることができる、基地局１１４とのＴＲＬ２０４を有している。ＸＬ２０３は、Ｔ−ＷＴＲＵ２０１に対するＴＲＬ２０４へのアクセスを容易にしてもよく、または、Ｔ−ＷＴＲＵ２０１とＨ−ＷＴＲＵ２０２との間の直接通信を容易にしてもよい。さらに、Ｔ−ＷＴＲＵ２０１は、図２に示すように、基地局１１４と直接ＴＲＬ２０５を有してもよい。Ｔ−ＷＴＲＵが、ＸＬ２０３および直接ＴＲＬ２０５の両方を有しているときに、両方のリンクの利用を通じて、Ｔ−ＷＴＲＵ２０１に対するスループットおよび容量の増加が達成される。
【００４２】
ＸＬ２０３はまた、ネットワークによりカバーされるＨ−ＷＴＲＵ２０２（network-covered H-WTRU 202）のＴＲＬ２０４を利用することによって、カバレッジ外Ｔ−ＷＴＲＵ２０１、つまり、基地局１１４への直接ＴＲＬ２０５を有さないＴ−ＷＴＲＵ２０１にカバレッジを提供して、Ｈ−ＷＴＲＵ２０２トラフィックを基地局１１４およびＲＡＮ１０４に中継するように、無線ネットワークで使用されてもよい。
【００４３】
たとえば、ＬＴＥシステムにおいて、Ｔ−ＷＴＲＵ２０１は、Ｔ−ＷＴＲＵ２０１がネットワークに登録されている場合にカバレッジを有し（すなわち、進化型パケットシステム（ＥＰＳ）モビリティ管理（ＥＭＭ）ＲＥＧＩＳＴＥＲＥＤ状態（evolved packet system (EPS) mobility management (EMM) REGISTERED state））、ネットワークにおけるセルからの報知チャネル（ＢＣＨ）を復号することができ、プライマリシステム情報を受信することができ、ページングチャネル（ＰＣＨ）を復号することができ、ページングメッセージおよびセカンダリシステム情報を受信することができ、ＲＲＣ−ＩＤＬＥ状態におけるランダムアクセスを使用し、または、ＲＲＣ−ＣＯＮＮＥＣＴＥＤ状態における物理アップリンク制御チャネル（ＰＵＣＣＨ）もしくは物理アップリンク共有チャネル（ＰＵＳＣＨ）を使用して、セルと通信することができ、ならびに、ＰＵＳＣＨ上で最小データレートを送信し、および、物理ダウンリンク共有チャネル（ＰＤＳＣＨ）上で最小データレートを受信することができる。
【００４４】
ＸＬ２０３確立の前に、ＷＴＲＵ１０２は、直接ＴＲＬ２０５確立のためにセルまたは基地局を再選択することを試みてもよい。直接ＴＲＬ２０５が確立されるときに、ＷＴＲＵ１０２は、そのトラフィックに対する直接ＴＲＬ２０５を使用してもよく、したがってＨ−ＷＴＲＵ２０２のＴＲＬ２０４の負荷を与えない。
【００４５】
図２Ｂは、直接ＴＲＬ２０５確立のためのセルまたは基地局の再選択を示している。Ｔ−ＷＴＲＵ１０２は、基地局１１４との直接ＴＲＬ２０５を確立することができず、または、基地局１１４との直接ＴＲＬ２０５は機能しなくなる（failed）（図２Ｂの破線に示す）。次に、Ｔ−ＷＴＲＵ２０１は、セルまたは基地局の再選択を試み、および、直接ＴＲＬ２０５は、再選択されたセルまたは基地局と確立される（実線によって示す）。Ｔ−ＷＴＲＵ２０１は、Ｈ−ＷＴＲＵ２０２とＸＬ２０３を確立する必要がなくてもよく、ＷＴＲＵ１０２は、Ｔ−ＷＴＲＵ２０１として指定されなくてもよい。再選択されたセルは、図２Ｂに示すように、同一の基地局１１４または異なる基地局に関連付けられてもよいことに留意されたい。
【００４６】
図２Ｃは、ＴＲＬ２０４確立失敗に基づいているＸＬ２０３確立を示している。直接ＴＲＬ２０５は、基地局もしくは再選択された基地局のいずれとも確立されず、または、直接ＴＲＬ２０５は機能しなくなる（破線によって示す）。ＲＡＮ１１４の通信リソースを利用するために、Ｔ−ＷＴＲＵ２０１は、基地局１１４とＴＲＬ２０４を有している、Ｈ−ＷＴＲＵ２０２との確立されたＸＬ２０３を有している。
【００４７】
プロシージャは、Ｔ−ＷＴＲＵ２０１とＨ−ＷＴＲＵ２０２との間のＸＬ２０３確立に使用され得る。プロシージャは、図３に関して記述したように、近隣探索、Ｈ−ＷＴＲＵ選択、またはアソシエーション情報交換を含んでもよい。
【００４８】
図３は、ＸＬ２０３確立プロシージャを示している。Ｔ−ＷＴＲＵ２０１は、Ｈ−ＷＴＲＵ２０２を見つける（locate）ために近隣探索３１０を実行する。近隣探索で、Ｔ−ＷＴＲＵ２０１は、近隣探索開始送信（ＮＤＩＴ：neighbor discovery initiation transmission）を送信し、および、Ｈ−ＷＴＲＵ２０２から近隣探索応答送信（ＮＤＲＴ：neighbor discovery response transmission）を待ってもよい。近隣探索３１０は、Ｈ−ＷＴＲＵ２０２としてサービスするためのＷＴＲＵ１０２を探し出すために、Ｔ−ＷＴＲＵ２０１によって使用される。ＮＤＩＴは、共有リソースで送信されてもよく、そのため複数のＷＴＲＵ１０２によって受信されてもよく、そして、複数のＷＴＲＵ１０２は、Ｈ−ＷＴＲＵ２０２を選択するためのオプションをＴ−ＷＴＲＵ２０１提供する、ＮＤＲＴを送信してもよい。
【００４９】
近隣探索の後に、アソシエーション情報（association information）が交換され（３２０）、それによってＴ−ＷＴＲＵ２０１およびＨ−ＷＴＲＵ２０２は、アソシエーション情報メッセージを交換することができる。Ｔ−ＷＴＲＵ２０１はまた、Ｈ−ＷＴＲＵ２０２から、Ｈ−ＷＴＲＵ２０２に関連付けられた識別を含むことができる基本システム情報を受信する（３２２）。次に、Ｔ−ＷＴＲＵ２０１は、たとえば、Ｔ−ＷＴＲＵ２０１がアソシエーション情報３２０または受信された基本システム情報３２２を交換した候補ＷＴＲＵ１０２からＨ−ＷＴＲＵ２０２を選択する。Ｈ−ＷＴＲＵ２０２が選択された後、Ｔ−ＷＴＲＵ２０１は、Ｈ−ＷＴＲＵ２０２に、ロール（role）に対するＨ−ＷＴＲＵ２０２の選択を示す、Ｈ−ＷＴＲＵ２０２として選択されたメッセージを送信する（３２６）。
【００５０】
アソシエーション情報交換３２０、基本システム情報の受信３２２、Ｈ−ＷＴＲＵ２０２選択３２４、またはＨ−ＷＴＲＵ２０２として選択されたメッセージの送信または受信３２６の間または後の任意の時点において、Ｔ−ＷＴＲＵ２０１とＨ−ＷＴＲＵ２０２との間のアソシエーションが形成されてもよい。さらに、図３に示していないが、基地局１１４は、数字３１０〜３２６に関して示されたプロシージャに含まれてもよい。
【００５１】
アソシエーションが形成された後、スケジューリング要求、ＸＬ２０３に対する許可（grant）、およびページングメッセージが、Ｔ−ＷＴＲＵ２０１とＨ−ＷＴＲＵ２０２と基地局１１４との間で交換される。スケジューリング要求は、データの送信のためにＸＬ２０３のリソース割り当てに対する必要性を示してもよい。ＸＬ２０３許可は、Ｔ−ＷＴＲＵ２０１またはＨ−ＷＴＲＵ２０２に対し、アップリンクまたはダウンリンク通信に使用するために、ＸＬ２０３にリソースを割り当ててもよい。さらに、ページングは、Ｔ−ＷＴＲＵ２０１またはＨ−ＷＴＲＵ２０２に対する、本明細書に示されるようなＲＲＣ状態遷移を経験する（undergo）必要性のアラートを送信し、または、必要性を示すために実行されてもよい。
【００５２】
さらに、ＲＲＣ再構成３５０は、ＸＬ２０３またはＴＲＬ２０４上でＴ−ＷＴＲＵ２０１またはＨ−ＷＴＲＵ２０２の接続性をセットアップするために実行されてもよい。ＲＲＣ再構成３５０はまた、ＴＲＬ２０４に対するシグナリング無線ベアラ（ＳＲＢ）またはデータ無線ベアラ（ＤＲＢ）と、ＸＬ２０３に対するＳＲＢまたはＤＲＢとの間のマッピングを示すために使用されてもよい。キープアライブメッセージは、Ｔ−ＷＴＲＵ２０１とＨ−ＷＴＲＵ２０２との間のアソシエーションを維持するために、Ｔ−ＷＴＲＵ２０１とＨ−ＷＴＲＵ２０２との間で交換される（３５２）。さらに、データは、ＸＬ２０３およびＴＲＬ２０４で交換されて、Ｔ−ＷＴＲＵ２０１にサービスおよびカバレッジを提供する（３６０）。
【００５３】
Ｔ−ＷＴＲＵ２０１およびＨ−ＷＴＲＵ２０２は、即時にＸＬ２０３上でデータ送信３２５を実行してもよい。Ｔ−ＷＴＲＵ２０１およびＨ−ＷＴＲＵ２０２がデータ送信３２５を実行する必要がない場合、Ｔ−ＷＴＲＵ２０１およびＨ−ＷＴＲＵ２０２は、確立されたＸＬ２０３を維持し、および、後続のデータ送信３２５のためにＸＬ２０３を使用することを容易にするために、キープアライブメッセージ３２４を交換してもよい。
【００５４】
ＸＬ２０３確立およびＸＬ２０３上での通信は、ＬＴＥまたはＬＴＥ−Ａのエアインターフェースなどの任意のエアインターフェースにしたがって実行されてもよく、ならびに、ＸＬ２０３確立またはＸＬ２０３を使用した通信に対するプロシージャは、エアインターフェースに対するプロシージャにしたがって、および本明細書に示されるプロシージャとともに実行されてもよい。
【００５５】
Ｔ−ＷＴＲＵ２０１とＨ−ＷＴＲＵ２０２との間のＸＬ２０３は、物理（ＰＨＹ）レイヤ、媒体アクセス制御（ＭＡＣ）レイヤ、無線リンク制御（ＲＬＣ）レイヤ、パケットデータコンバージェンスプロトコル（ＰＤＣＰ）レイヤ、無線リソース制御（ＲＲＣ）レイヤ、または非アクセスストラタム（ＮＡＳ）レイヤの１つもしくは複数を備える、オープンシステム相互接続（ＯＳＩ）プロトコルにしたがってもよい。ＸＬ２０３のプロトコルレイヤは、ＴＲＬ２０４もしくは直接ＴＲＬ２０５のプロトコルレイヤと異なってもよく、または、同一であってもよい。たとえば、ＸＬ２０３のＰＨＹレイヤは、ＴＲＬ２０４のＰＨＹと異なってもよく、ＸＬ２０３およびＴＲＬ２０４のＲＲＣレイヤは同様に定義されてもよい。
【００５６】
ＲＲＣレイヤに対して、ＲＲＣプロトコルが使用されてもよい。ＲＲＣプロトコルは、ＷＴＲＵ１０２、たとえばＴ−ＷＴＲＵ２０１またはＨ−ＷＴＲＵ２０２が属することができるＲＲＣ状態を含んでもよい。ＷＴＲＵ１０２のＲＲＣ状態は、ＷＴＲＵ１０２の接続性または接続に対する見込み（potential）によって指示され（dictated）、ならびに、ＷＴＲＵ１０２は、ＷＴＲＵ１０２の接続性または接続の見込みに基づいて、ＲＲＣ状態間を遷移してもよい。ＲＲＣ状態は、図４に関して記されたＸＬ２０３、ＴＲＬ２０４、または直接ＴＲＬ２０５を含む、任意の無線リンク上でのＷＴＲＵ１０２の接続に関連付けられる。
【００５７】
図４は、ＷＴＲＵ１０２のＲＲＣ状態を示している。ＷＴＲＵ１０２は、ＲＲＣ−ＩＤＬＥ状態４１０またはＲＲＣ−ＣＯＮＮＥＣＴＥＤ状態４２０にあってもよい。ＷＴＲＵ１０２は、ＲＲＣ−ＩＤＬＥ状態４１０とＲＲＣ−ＣＯＮＮＥＣＴＥＤ状態４２０との間で遷移してもよい。ＷＴＲＵ１０２がＲＲＣ−ＩＤＬＥ状態４１０にあるときに、ＷＴＲＵ１０２は、ＸＬ２０３、ＴＲＬ２０４、または直接ＴＲＬ２０５上で確立されたシグナリング無線ベアラを有しないことがある。ＲＲＣ−ＩＤＬＥ状態４１０では、ＷＴＲＵ１０２は、ＸＬ２０３、ＴＲＬ２０４、または直接ＴＲＬ２０５上で、システム情報またはページングなどの特定のメッセージを送信および受信してもよい。さらに、ＷＴＲＵ１０２は、ＲＲＣ−ＣＯＮＮＥＣＴＥＤ状態４２０に遷移する前に、一部のデータを送信してもよい。ＷＴＲＵ１０２がＲＲＣ−ＣＯＮＮＥＣＴＥＤ状態４２０にあるときに、ＷＴＲＵ１０２は、ユーザデータを送信することを含むそのすべての機能を実行してもよい。
【００５８】
ＸＬ２０３に関連付けられた機能を実行することができるＷＴＲＵ１０２は、ＷＴＲＵ１０２がＸＬ２０３上で実行することができる機能に関連付けられたＸＬ下位状態をさらに有してもよい。ＸＬ下位状態は、ＷＴＲＵ１０２が、ＴＲＬ２０４または直接ＴＲＬ２０５のいずれかの上で実行することができる機能に依存しておらず、単に、ＷＴＲＵ１０２が、ＸＬ２０３で実行することができる機能に関連付けられている。ＸＬ下位状態は、ＲＲＣ状態（つまり、ＲＲＣ−ＩＤＬＥ状態４１０およびＲＲＣ−ＣＯＮＮＥＣＴＥＤ状態４２０）の下位状態である。ＷＴＲＵ１０２は、図５に関して記されるように４つのＸＬ下位状態のいずれか１つを有してもよい。
【００５９】
図５は、ＷＴＲＵ１０２のＲＲＣ下位状態を示している。ＷＴＲＵ１０２は、ＸＬ−Ｄｉｓａｂｌｅｄ下位状態５１０、ＸＬ−Ｉｎａｃｔｉｖｅ下位状態５２０、ＸＬ−Ｉｄｌｅ下位状態５３０、またはＸＬ−Ａｃｔｉｖｅ下位状態５４０にあってもよい。ＷＴＲＵ１０２がＲＲＣ−ＣＯＮＮＥＣＴＥＤ状態４２０にあるときに、ＷＴＲＵ１０２は、４つの下位状態５１０〜５４０のいずれか１つにあってもよい。他方で、ＷＴＲＵがＲＲＣ−ＩＤＬＥ状態４１０にあるときに、ＷＴＲＵ１０２は、ＸＬ−Ｄｉｓａｂｌｅｄ下位状態５１０、ＸＬ−Ｉｎａｃｔｉｖｅ下位状態５２０、またはＸＬ−Ｉｄｌｅ下位状態５３０にあってもよいが、ＸＬ−Ａｃｔｉｖｅ下位状態５４０にはない。
【００６０】
ＸＬ−Ｄｉｓａｂｌｅｄ下位状態５１０におけるＷＴＲＵ１０２は、ＸＬ２０３に関連付けられた機能を実行しない。たとえば、ＷＴＲＵ１０２は、ＸＬ２０３に関連付けられた機能を実行することができなくてもよく、または、機能を実行することができるが、機能を無効化するように構成されてもよい。ＷＴＲＵ１０２は、ＴＲＬ２０４または直接ＴＲＬ２０５上でいまだに機能を実行することができるため、ＷＴＲＵ１０２は、ＲＲＣ−ＩＤＬＥ状態４１０またはＲＲＣ−ＣＯＮＮＥＣＴＥＤ下位状態４２０にあってもよい。
【００６１】
ＸＬ−Ｉｎａｃｔｉｖｅ下位状態５２０におけるＷＴＲＵ１０２は、近隣探索、アソシエーション情報交換（たとえば、アソシエーション情報メッセージの送信または受信）、Ｈ−ＷＴＲＵ２０２として選択されたメッセージの送信もしくは受信、または、基本システム情報を実行してもよいが、キープアライブメッセージを送信もしくは受信できないことがあり、または、ＸＬ２０３上でデータを送信もしくは受信することができないことがある。
【００６２】
ＸＬ−Ｉｄｌｅ下位状態５３０におけるＷＴＲＵ１０２は、本明細書でさらに詳細に示されるように、キープアライブメッセージ、ページングインジケーション、およびスケジューリング要求を送信または受信することに加えて、ＷＴＲＵ１０２がＸＬ−Ｉｎａｃｔｉｖｅ下位状態５２０において実行することができるすべての機能を実行してもよい。ＸＬ−Ｉｄｌｅ下位状態５３０におけるＴ−ＷＴＲＵ２０１は、Ｈ−ＷＴＲＵ２０２とのアソシエーションを形成していてもよいが、ユーザ通信データを送信または受信していなくてもよい。
【００６３】
ＸＬ−Ａｃｔｉｖｅ下位状態５４０におけるＷＴＲＵ１０２は、ＸＬ２０３上でデータを送信または受信することを含む、ＸＬ２０３に関連付けられたすべての機能を実行してもよい。ＷＴＲＵ１０２は、ＲＲＣ状態４１０〜４２０およびＸＬ下位状態５１０〜５４０の間を遷移してもよい。
【００６４】
Ｈ−ＷＴＲＵ２０２との確立されたＸＬ２０３のみを有しているＴ−ＷＴＲＵ２０１は、ＷＴＲＵツーＷＴＲＵ（Ｗ２Ｗ）のカバレッジモードにあると言われてもよい。さらに、基地局１１４との直接ＴＲＬ２０５を有しているＴ−ＷＴＲＵ２０１は、ネットワークカバレッジモードまたはインフラストラクチャカバレッジモードにあると言われてもよい。Ｔ−ＷＴＲＵ２０１は、図６に関して示されるような２つのモード間のハンドオーバを通じて、Ｗ２Ｗカバレッジモードとインフラストラクチャカバレッジモードとの間を遷移してもよい。
【００６５】
図６は、インフラストラクチャカバレッジモードからＷ２Ｗカバレッジモードへのハンドオーバを示している。Ｔ−ＷＴＲＵ２０１は、基地局１１４と直接ＴＲＬ２０５を有しており、したがって、インフラストラクチャカバレッジモードにある。インフラストラクチャカバレッジモードからＷ２Ｗカバレッジモードにハンドオーバが発生してもよい。ハンドオーバが実行された後、Ｔ−ＷＴＲＵ２０１は、Ｈ−ＷＴＲＵ２０２とのＸＬ２０３を有し、および、Ｈ−ＷＴＲＵ２０２は、基地局とのＴＲＬを有し、それを通じてＷ２ＷカバレッジモードにおいてＴ−ＷＴＲＵ２０１にカバレッジが提供される。図６は、基地局内インフラストラクチャカバレッジモードからＷ２Ｗカバレッジモードへのハンドオーバとして本明細書に記されている、ＴＲＬ２０４が、直接ＴＲＬ２０５と同一の基地局１１４に関連付けられていることを記していることに留意されたい。基地局間インフラストラクチャカバレッジモードからＷ２Ｗカバレッジモードへのハンドオーバについて本明細書に簡単に示される。
【００６６】
Ｔ−ＷＴＲＵ２０１が基地局１１４のカバレッジエリアを離れているために、ハンドオーバが発生してもよい。さらに、ハンドオーバは、直接ＴＲＬ２０５に関連付けられたリンク品質または信号強度の測定に基づいて、基地局１１４またはＴ−ＷＴＲＵ２０１によってトリガされてもよい。たとえば、直接ＴＲＬ２０５がロスト（lost）し、または切断されるリスクにあると基地局１１４が判定した場合、基地局１１４は、Ｗ２Ｗカバレッジモードへのハンドオーバをトリガしてもよい。
【００６７】
Ｔ−ＷＴＲＵ２０１は、制限された期間、ネットワークカバレッジを失い（lose）、もしくは、そのカバレッジの外部にあってもよく、および、フライホイールシナリオ（fly wheel scenario）では基地局との部分的な同期を保持してもよい。代わりに、Ｔ−ＷＴＲＵ２０１は、より長い期間、カバレッジの外部にあってもよく、および、任意の基地局と時間同期（time synchronized）になくてもよい。Ｗ２Ｗカバレッジとインフラストラクチャカバレッジとの間のＸＬ２０３確立およびハンドオーバでは、分散された制御が利用されてもよい。分散された制御では、Ｔ−ＷＴＲＵ２０１は、Ｈ−ＷＴＲＵ２０２およびＨ−ＷＴＲＵ２０２を選択する際に制御を行い、他方では、ネットワークによって設定された基準をＨ−ＷＴＲＵ２０２が満たすという条件で、Ｔ−ＷＴＲＵ２０１に応答する（たとえばＴ−ＷＴＲＵ２０１による近隣探索）。分散された制御では、ネットワークは、Ｈ−ＷＴＲＵ２０２を選択する際に一部の制御を保持してもよい。
【００６８】
代わりに、制御は集中化されてもよく、それによって、完全な制御がネットワークによって保持され、および、レイヤ２（Ｌ２）またはレイヤ３（Ｌ３）シグナリングを介して実行されてもよい。特定の制御機能がＴ−ＷＴＲＵ２０１およびＨ−ＷＴＲＵ２０２によって行われるという事実に起因して、分散された制御は、ネットワークによるＬ２またはＬ３の信号送信オーバヘッドを減少させることが可能になることに留意されたい。
【００６９】
Ｗ２ＷカバレッジモードまたはインフラストラクチャカバレッジモードからＷ２Ｗカバレッジモードへのハンドオーバを開始することは、Ｔ−ＷＴＲＵ２０１によって実行されたセルの選択または再選択の結果に基づいて、トリガされてもよい。Ｗ２ＷカバレッジモードポリシまたはＴ−ＷＴＲＵ２０１ルールは、Ｗ２Ｗカバレッジが考慮されるとき、または、インフラストラクチャカバレッジとＷ２Ｗカバレッジとの間のハンドオーバが実行されるときを指示してもよい。たとえば、Ｗ２Ｗカバレッジモードを使用してカバレッジを受信しているＴ−ＷＴＲＵ２０１が、ＲＲＣ−ＣＯＮＮＥＣＴＥＤ状態４２０からＲＲＣ−ＩＤＬＥモード４１０に遷移するときに、Ｔ−ＷＴＲＵ２０１は、セルを探し出すために、セルの選択または再選択を実行してもよく、ならびに、セルが見つからない場合は、Ｗ２Ｗカバレッジをトリガしてもよい。
【００７０】
図７は、Ｗ２Ｗカバレッジをトリガするためのメッセージフロー図を示している。Ｔ−ＷＴＲＵ２０１は、最初に、ＲＲＣ−ＩＤＬＥ状態４１０にある。Ｔ−ＷＴＲＵ２０１は、基地局１１２またはＭＭＥ１４２への登録を実行し（７０２）、ならびに、ＲＲＣ−ＣＯＮＮＥＣＴＥＤ状態４２０に遷移する。登録７０２の後に、ＭＭＥ１４２およびポリシサーバ７０１は、Ｔ−ＷＴＲＵ２０１の登録に関係するメッセージを交換する（７０４）。さらに、Ｔ−ＷＴＲＵ２０１は、デフォルト無線アクセスベアラ（ＲＡＢ）およびＧｌｏｂａｌｌｙ  Ｕｎｉｑｕｅ  Ｔｅｍｐｏｒａｒｙ  Ｉｄｅｎｔｉｔｙ（ＧＵＴＩ）が提供されてもよい。さらに、進化型パケットシステム認証および鍵共有（ＥＰＳ  ＡＫＡ：evolved packet system authentication and key agreement）が実行されてもよく、および、ＮＡＳまたはＲＲＣセキュリティが活性化されてもよい。
【００７１】
次に、プッシュまたはプルに対するＷ２Ｗカバレッジモードポリシが、ポリシサーバとＴ−ＷＴＲＵ２０１との間で交換される（７０６）。Ｔ−ＷＴＲＵ２０１がＲＲＣ−ＣＯＮＮＥＣＴＥＤ状態４２０にある必要を有しない場合（たとえば、Ｔ−ＷＴＲＵ２０１が、送信に対するユーザデータを有しない）、Ｔ−ＷＴＲＵ２０１はＲＲＣ−ＩＤＬＥ状態４１０に遷移する。ＲＲＣ−ＩＤＬＥ状態４１０にあるときに、Ｔ−ＷＴＲＵ２０１は、セル選択または再選択を実行する（７０８）。Ｔ−ＷＴＲＵ２０１はまた、Ｗ２Ｗポリシに基づいて、セル選択または再選択を評価する（７１０）。セル選択または再選択を評価する際に、Ｔ−ＷＴＲＵ２０１は、ローミングなしでは適切なセルが見つからず、ローミングで適切なセルが見つからず、受け入れ可能なセルが見つからず、他のＲＡＴ上で適切なセルが見つからず、または、他のＲＡＴ上で受け入れ可能なセルが見つからないと判定してもよい。さらに、判定は、限定加入者グループ（ＣＳＧ）セルに基づいて行われてもよい。
【００７２】
セルの選択または再選択の評価は、Ｔ−ＷＴＲＵ２０１またはネットワークポリシに基づいてもよい。たとえば、適切なセルが特定の公衆陸上移動通信網（ＰＬＭＮ）またはＲＡＴ上で見つからないときに、Ｔ−ＷＴＲＵ２０１ポリシは、Ｗ２Ｗカバレッジモードをトリガすることを要求してもよい。Ｔ−ＷＴＲＵ２０１のポリシは、静的または動的であってもよく、および、Ｔ−ＷＴＲＵ２０１にプッシュされてもよく、または、Ｔ−ＷＴＲＵ２０１によってプルされてもよい。
【００７３】
次に、Ｔ−ＷＴＲＵ２０１は、セル選択もしくは再選択の評価およびＷ２Ｗカバレッジに基づいて、Ｗ２Ｗカバレッジをトリガする（７１２）。Ｗ２Ｗカバレッジがトリガされた後（７１２）、近隣探索が実行される（７１４）。
【００７４】
本明細書に示されるように、セル選択または再選択は、直接ＴＲＬ２０５のＬＴＥエアインターフェースにしたがって実行されてもよい。さらに、セル選択または再選択は、周波数内選択、周波数間選択、またはＲＡＴ間選択を組み込んでもよい。セル選択または再選択はまた、Ｗ２Ｗカバレッジモードポリシに基づいてもよい。
【００７５】
図８は、セル選択もしくは再選択、およびＷ２Ｗカバレッジのトリガリングの状態図を示している。セル選択または再選択８０１は成功してもよく、それによって、直接ＴＲＬを確立し、および、インフラストラクチャカバレッジを有するためにセルが見つけられる。代わりに、セル選択または再選択８０１は失敗してもよく、それによって、インフラストラクチャカバレッジは利用可能でないと判定され、および、Ｗ２Ｗカバレッジ８０２がトリガされる。セル選択または再選択８０１の結果は、セル検索結果、セル選択もしくは再選択に関係するシステム情報、ＰＬＭＮ情報（たとえば、ＮＡＳから受信され、および、任意の除外された（barred）セル情報を含む）、またはＷ２Ｗポリシに基づいて判定されてもよい。
【００７６】
Ｔ−ＷＴＲＵ２０１が適切なセルを見つけた場合、セル選択または再選択は成功し、および、Ｔ−ＷＴＲＵ２０１は、正常キャンプ状態（Camped Normally state）８１０に遷移する。セルが適切な状態にある場合、Ｔ−ＷＴＲＵ２０１は正常キャンプ状態８１０に留まる。Ｔ−ＷＴＲＵ２０１は、Ｔ−ＷＴＲＵ２０１がキャンプされているセルが適切な状態にあるかを、たとえばタイマ（本明細書ではＴｒｅｓｅｌｅｃｔｉｏｎタイマと称される）に基づいて定期的に判定してもよい。
【００７７】
他方では、Ｔ−ＷＴＲＵ２０１が、単に、受け入れ可能なセルを見つけた場合、Ｔ−ＷＴＲＵ２０１は、任意のセルへのキャンプオン状態（Camped on any cell state）に遷移する（図８に図示せず）。Ｔ−ＷＴＲＵ２０１が、任意のセルへのキャンプオン状態にあるときに、セル選択または再選択は、タイマ（たとえばＴｒｅｓｅｌｅｃｔｉｏｎ）に基づいて定期的にトリガされてもよい。
【００７８】
セルの選択または再選択が失敗し、および、適切なセルが見つからない場合、Ｗ２Ｗカバレッジモードがトリガされる。さらに、セル選択または再選択８０１は、Ｗ２Ｗポリシに基づいてもよく、それによって、Ｗ２Ｗカバレッジモードをトリガすることは、近隣探索、アソシエーション情報、システム情報、およびＷ２Ｗポリシに基づいてもよい。
【００７９】
Ｔ−ＷＴＲＵ２０１が、適切なＨ−ＷＴＲＵ２０２を見つけることに成功した場合、および、Ｔ−ＷＴＲＵ２０１が、Ｗ２Ｗカバレッジに対してＨ−ＷＴＲＵ２０２を使用することに許可された場合、Ｔ−ＷＴＲＵ２０１は、Ｗ２Ｗカバレッジへのキャンプオン状態（Camped on W2W coverage state）８２０に遷移する。Ｔ−ＷＴＲＵ２０１は、たとえば、時間（本明細書ではＴＸＬｒｅｓｅｌｅｃｔｉｏｎと称される）に基づいて、Ｗ２ＷカバレッジおよびＨ−ＷＴＲＵ２０２とのアソシエーションを定期的にチェックしてもよい。ＴＸＬｒｅｓｅｌｅｃｔｉｏｎタイマは、また、近隣探索をトリガするために使用されてもよい。ＴＸＬｒｅｓｅｌｅｃｔｉｏｎタイマは、Ｗ２ＷカバレッジモードにおいてＴ−ＷＴＲＵ２０１またはＨ−ＷＴＲＵ２０２のＤＲＸサイクル長と同期するように設定されてもよい。
【００８０】
Ｗ２Ｗカバレッジへのキャンプオン状態８２０にある間、Ｔ−ＷＴＲＵ２０１は、インフラストラクチャカバレッジが利用可能であるかを定期的にチェックし、または、タイマ（タイマは本明細書ではＴｒｅｓｅｌｅｃｔｉｏｎＵｐｄタイマと称される）に基づいて、セル選択または再選択をトリガしてもよい。
【００８１】
セル選択または再選択が、適切なもしくは受け入れ可能なセルが見つかったことを示している場合、Ｔ−ＷＴＲＵ２０１は、Ｗ２Ｗカバレッジモードを離れて、正常キャンプ状態８１０または任意のセルへのキャンプオン状態にそれぞれ遷移する。Ｔ−ＷＴＲＵ２０１は、それがセルのカバレッジエリアに移動していないという条件で、または、ネットワークで承認されたＨ−ＷＴＲＵ２０２（network-approved H-WTRU 202）が利用可能であるという条件で、Ｗ２Ｗカバレッジへのキャンプオン状態８２０の留まってもよい。
【００８２】
Ｔ−ＷＴＲＵ２０１がカバレッジホール（coverage hole）にあり（つまり、インフラストラクチャカバレッジモードが利用可能でない）、および、単に、Ｗ２Ｗカバレッジモードを介してネットワークサービスを受信しているときに、セル選択または再選択は、遅延または延期されてもよい。セル選択または再選択を延期することは、Ｔ−ＷＴＲＵ２０１のバッテリ電力を節約することができる。セル選択または再選択を延期するときに、ＴｒｅｓｅｌｅｃｔｉｏｎＵｐｄは、Ｔｒｅｓｅｌｅｃｔｉｏｎより大きくてもよい。
【００８３】
Ｔ−ＷＴＲＵ２０１がＨ−ＷＴＲＵ２０２を見つけることができない場合、Ｔ−ＷＴＲＵ２０１は、キャンプ失敗状態（Failed to camp state）８３０に遷移してもよい。キャンプ失敗状態８３０では、Ｔ−ＷＴＲＵ２０１は、たとえばＴｂａｓｅｌｉｎｅ−ｒｅｓｅｌｅｃｔｉｏｎタイマに基づいて、Ｈ−ＷＴＲＵ２０２が見つかるかを定期的に判定する。Ｔ−ＷＴＲＵ２０１はまた、たとえば、Ｔｉｍｅｒ  ＴｒｅｓｅｌｅｃｔｉｏｎＵｐｄタイマに基づいて、セル選択または再選択を定期的に実行する。Ｔ−ＷＴＲＵ２０１は、Ｈ−ＷＴＲＵ２０２、適切なセル、または受け入れ可能なセルが見つからない場合、キャンプ失敗状態８３０に留まってもよい。Ｔｒｅｓｅｌｅｃｔｉｏｎは、ＲＲＣ−ＩＤＬＥ状態４１０のＤＲＸサイクル長一致するように、または、ＤＲＸサイクル長にしたがって設定されてもよいことに留意されたい。
【００８４】
本明細書に記述したように、Ｔ−ＷＴＲＵがＷ２Ｗモードでカバレッジを受信するために、近隣探索がトリガされる。近隣探索では、Ｔ−ＷＴＲＵ２０１は、Ｈ−ＷＴＲＵ２０２を探し、それを通じてＴ−ＷＴＲＵ２０１がネットワークサービスを受信してもよい。近隣探索では、Ｔ−ＷＴＲＵ２０１は、事前構成されたリソース上でＮＤＩＴを受信することができるすべてのＷＴＲＵにＮＤＩＴを送信し（すなわり、Ｔ−ＷＴＲＵ付近のすべてのＷＴＲＵ）、および、Ｈ−ＷＴＲＵ２０２になることができるＷＴＲＵからＮＤＲＴの受信を待つ。
【００８５】
図９Ａおよび図９Ｂに関して示されるように、Ｔ−ＷＴＲＵ２０１がＨ−ＷＴＲＵ２０２を選択する前に、Ｔ−ＷＴＲＵ２０１は、本明細書では近隣シーキングＷＴＲＵ（ＮＳ−ＷＴＲＵ：neighbor seeking WTRU）と称されてもよく、および、Ｈ−ＷＴＲＵ２０２は、本明細書では近隣プレゼントＷＴＲＵ（ＮＰ−ＷＴＲＵ：neighbor present WTRU）と称されてもよい。
【００８６】
図９Ａおよび図９Ｂは、ＮＳ−ＷＴＲＵによる近隣探索を示している。ＮＳ−ＷＴＲＵ９０１としてのＴ−ＷＴＲＵ２０１は、近隣探索を開始し、および、ＮＤＩＴを送信する。ＮＤＩＴは、複数のＮＰ−ＷＴＲＵ９０２１−Ｎ（単独では本明細書においてＮＰ−ＷＴＲＵ９０２ｉと称され、総じて本明細書においてＮＰ−ＷＴＲＵ９０２と称される）。ＮＰ−ＷＴＲＵ９０２はそれぞれ、異なる基地局に関連付けられてもよい（図９Ａに示すように、ＮＰ−ＷＴＲＵ１  ９０２１およびＮＰ−ＷＴＲＵ２  ９０２２は、１つの基地局に関連付けられ、ならびに、ＮＰ−ＷＴＲＵｎ  ９０２ｎは、他の基地局に関連付けられる）。
【００８７】
図９Ｂに示すように、ＮＰ−ＷＴＲＵ９０２ｉは、ＮＳ−ＷＴＲＵ９０１へのＮＤＲＴでＮＤＩＴに応答する。次に、アソシエーション情報は、ＮＳ−ＷＴＲＵ９０１とＮＰ−ＷＴＲＵ９０２ｉとの間で交換され、および、ＮＰ−ＷＴＲＵ９０２ｉは、ＮＳ−ＷＴＲＵ９０１に基本システム情報を送信する。ＮＳ−ＷＴＲＵ９０１は、Ｈ−ＷＴＲＵ２０２としてＮＰ−ＷＴＲＵ９０２ｉを選択し、および、ＮＰ−ＷＴＲＵ９０２ｉはＨ−ＷＴＲＵ２０２になり、ＮＳ−ＷＴＲＵ９０１はＴ−ＷＴＲＵ２０１になる。説明を容易にするために、本明細書においてＮＳ−ＷＴＲＵ９０１はＴ−ＷＴＲＵ２０１と置き換えられ、ＮＰ−ＷＴＲＵ９０２ｉはＨ−ＷＴＲＵ２０２と置き換えられることに留意されたい。
【００８８】
図１０は、集中化されたＨ−ＷＴＲＵ選択においてネットワークに近隣探索を報告するためのメッセージフローチャートを示している。ＮＳ−ＷＴＲＵ９０１は、近隣探索一時識別子（neighbor discovery temporary identifier）を選択し（たとえば、ランダムに、または、国際移動加入者識別子（ＩＭＳＩ）の数字に基づいて）、および、ＮＤＩＴ１００２を送信してもよい。ＮＰ−ＷＴＲＵ９０２（ＮＰ−ＷＴＲＵ１  ９０２ｉ、ＮＰ−ＷＴＲＵ２  ９０２２、・・・、ＮＰ−ＷＴＲＵｎ  ９０２ｎとして示される）は、ＮＤＩＴをＮＳ−ＷＴＲＵ９０１から受信し、および、ＮＤＲＴ１００４をＮＳ−ＷＴＲＵ９０１に送信する。ＮＰ−ＷＴＲＵ９０２は、ＲＲＣ−ＣＯＮＮＥＣＴＥＤ状態４２０にあってもよく、または、ＲＲＣ−ＩＤＬＥ状態４１０ではＤＲＸの間にアウェイク（awake）してもよい。
【００８９】
ＮＰ−ＷＴＲＵ９０２は、ＮＤＩＴに基づいてＮＳ−ＷＴＲＵ９０１識別子を検出し、および、たとえば、基地局１１４に第１のメッセージを送信することによって、ＮＳ−ＷＴＲＵ９０１から基地局１１４にＮＤＩＴの受信を報告してもよい（１００８）。ＮＰ−ＷＴＲＵは、ＮＰ−ＷＴＲＵ９０２のバッテリレベルなどに基づいて、適性インデックス（suitability index）に関連するパラメータをさらに報告してもよい。適性インデックスは、ＸＬ２０３条件、モビリティ、ＴＲＬ２０４条件、バッテリ状態、ハードウェア制限、ユーザ加入レベル、またはＨ−ＷＴＲＵ２０２として動作する意思を含む、リアルタイムデータに基づいてもよい。適性インデックスはまた、ＮＰ−ＷＴＲＵ９０２ｉが、別のＴ−ＷＴＲＵのＸＬに対するＨ−ＷＴＲＵであるかに基づいてもよい。
【００９０】
基地局１１４が、ＮＳ−ＷＴＲＵ９０１からのＮＤＩＴを示すレポートをＮＰ−ＷＴＲＵ９０２ｉから受信するときに、基地局１１４はタイマをスタートし、および、ＮＳ−ＷＴＲＵ９０１からＮＤＩＴを受信した他のＮＰ−ＷＴＲＵから潜在性レポート（potential report）を待つ。ＮＰ−ＷＴＲＵ９０２ｉから受信されたレポートは、一意なＮＤＩＴシーケンスに関連付けられてもよいことに留意されたい。
【００９１】
タイマが満了すると、基地局は、Ｈ−ＷＴＲＵ２０２となるＮＰ−ＷＴＲＵ９０２ｉを選択し、および、本明細書において近隣探索応答メッセージ１０１０と称されるＲＲＣメッセージを送信して、ＮＰ−ＷＴＲＵ９０２ｉに、Ｈ−ＷＴＲＵ２０２のロールのためにそれが選択されることを示す。図１０では、ＮＰ−ＷＴＲＵ２  ９０２２は、選択されたとして示され、および、その選択に起因してＲＲＣ−ＣＯＮＮＥＣＴＥＤ状態４２０に留まる。ＮＰ−ＷＴＲＵ１  ９０２ｉなど、それらがそれら自身の通信アクティビティを有しておらず、または、近隣探索の対象でなかった場合、選択されていないＮＰ−ＷＴＲＵは、ＲＲＣ−ＩＤＬＥ状態４１０に遷移する。
【００９２】
上述したように、ＮＰ−ＷＴＲＵ９０２は、たとえばセルエッジにおいて、異なる基地局または異なるセルに関連付けられてもよい。ＮＰ−ＷＴＲＵ９０２が異なるセルに属するときに、各セルは、異なるＮＰ−ＷＴＲＵを選択して、Ｈ−ＷＴＲＵ２０２になってもよく（たとえば、異なるセルは、複数のＮＰ−ＷＴＲＵ９０２に複数の近隣探索応答メッセージ１０１０を送信する）、それによって、結果として衝突が生じる。異なるセルが同一の基地局１１４によってサービスされる場合、基地局１１４は、本明細書で示されるように、１つのＮＰ−ＷＴＲＵに１つのみのＲＲＣ  ＸＬトリガメッセージを送信することによって、ＮＰ−ＷＴＲＵの選択を調整してもよい。ＲＲＣ  ＸＬトリガを受信するＮＰ−ＷＴＲＵは、Ｈ−ＷＴＲＵ２０２として選択される。
【００９３】
図１１は、Ｈ−ＷＴＲＵ選択のためのメッセージフローチャートを示している。ＮＰ−ＷＴＲＵ１  ９０２ｉは、第１の基地局によってサービスされ、および、ＮＰ−ＷＴＲＵ２  ９０２２は、第２の基地局によってサービスされる。近隣探索に続いて、第１の基地局は、ＮＰ−ＷＴＲＵ１  ９０２１にＲＲＣ  ＸＬトリガメッセージを送信し（１１０２）、第２の基地局は、ＮＰ−ＷＴＲＵ２  ９０２２にＲＲＣ  ＸＬトリガメッセージを送信する（１１０４）。ＮＰ−ＷＴＲＵ１  ９０２１およびＮＰ−ＷＴＲＵ２  ９０２２の両方は、ＮＳ−ＷＴＲＵ９０１とアソシエーション形成の実行を開始し、ならびに、ＮＳ−ＷＴＲＵ９０１はＮＰ−ＷＴＲＵｌ  ９０２１からアソシエーションメッセージを受信し（１１０６）、ＮＰ−ＷＴＲＵ２  ９０２２からアソシエーションメッセージを受信する（１１０８）。各アソシエーションメッセージは、メッセージを送信したＮＰ−ＷＴＲＵ９０２ｉの識別を含んでもよい。
【００９４】
ＮＰ−ＷＴＲＵ９０１は、それがアソシエーション応答メッセージを受信し（１１１０）および、選択されたＮＰ−ＷＴＲＵ９０２ｉにアソシエーション応答メッセージを送信する（１１１２）複数のＮＰ−ＷＴＲＵ９０２から１つのＮＰ−ＷＴＲＵ９０２ｉを選択する。図１１では、ＮＰ−ＷＴＲＵ１  ９０２１が選択されている。ＮＳ−ＷＴＲＵ９０１は、受信信号強度、または、受信されたＮＤＲＴもしくはアソシエーションメッセージの相対的な受信信号強度などの基準に基づいて、ＮＰ−ＷＴＲＵ９０２ｉを選択してもよい。たとえば、ＮＳ−ＷＴＲＵ９０１は、ＮＰ−ＷＴＲＵ９０２ｉを選択してもよく、それは、ＮＰ−ＷＴＲＵ９０２ｉから最も高い信号強度を有しているＮＤＲＴまたはアソシエーションメッセージを受信する。次に、選択されたＮＰ−ＷＴＲＵ９０２ｉは、ＮＳ−ＷＴＲＵ９０１に基本システム情報を送信する（１１１４）。
【００９５】
ＮＰ−ＷＴＲＵ２  ９０２２などの選択されていないＮＰ−ＷＴＲＵは、期間の間に、アソシエーション応答メッセージを待ってもよく、および、アソシエーション応答メッセージが受信されない場合、選択されていないＮＰ−ＷＴＲＵは、ＲＲＣ−ＩＤＬＥ状態４１０に遷移してもよい（１１１６）。選択されていないＮＰ−ＷＴＲＵは、その関連付けられた基地局に警告する必要はない。さらに、第１の基地局または第２の基地局は、選択されていないＮＰ−ＷＴＲＵがＸＬ２０３確立に必要ないことと判定してもよく、および、そのデータベースからアソシエーションのレコードを削除してもよい。
【００９６】
アソシエーションメッセージおよびアソシエーション応答メッセージの複数の反復が実行されて、復元力（resilience）を保証してもよい。さらに、アソシエーションメッセージメッセージおよびアソシエーションメッセージ応答メッセージが正確に受信されることを保証するために、事前構成されたタイマおよびカウンタが使用されてもよい。
【００９７】
ＮＰ−ＷＴＲＵ９０２ｉ（たとえば、それはＲＲＣ−ＩＤＬＥ状態４１０においてＤＲＸにない）は、基準が満たされるという条件で、ＮＤＲＴで応答してもよい。基準は、ネットワークによって構成されてもよく、および、Ｗ２ＷポリシまたはＸＬ構成の一部であってもよい。さらに、基準は、バッテリ状態もしくは寿命、ＮＰ−ＷＴＲＵ９０２ｉのＲＲＣ状態、ＮＰ−ＷＴＲＵ９０２ｉのハードウェア能力、ＮＤＩＴの信号強度、ＴＲＬ２０４の品質、またはＮＰ−ＷＴＲＵ９０２ｉのモビリティに基づいている適性インデックスを含んでもよい。ＮＰ−ＷＴＲＵ９０２ｉは、基準または事前定義されたアルゴリズムを使用して、現在の状態に基づいてＮＰ−ＷＴＲＵ９０２ｉを分類してもよく、ならびに、ＮＤＲＴにおいて適性分類（suitability classification）を送信するように構成されてもよい。
【００９８】
ＮＤＩＴを送信した後、ＮＳ−ＷＴＲＵ９０１は、最大数のＮＰ−ＷＴＲＵ９０２からＮＤＲＴを受信するために、事前構成された期間を待ってもよい。ＮＳ−ＷＴＲＵは、受信されたＮＤＲＴに含まれる適性分類、または、受信されたＮＤＲＴの信号強度などに基づいて、ＮＰ−ＷＴＲＵ９０２ｉを選択してもよい。
【００９９】
代わりに、ＮＰ−ＷＴＲＵ９０２ｉは、ＮＳ−ＷＴＲＵ９０１から受信されたＮＤＩＴ送信に関連付けられた状態情報を保持してもよい。状態情報は、事前定義された時間の間、または、多数の後続のフレームの間に保持されてもよい。さらに、本明細書に示されるように、ＮＰ−ＷＴＲＵ９０２ｉは、ＮＰ−ＷＴＲＵ９０２ｉの分類された状態、または、適性関連分類情報（suitability related classification information）に基づいてＮＤＲＴを送信するように構成されてもよい。したがって、ＮＳ−ＷＴＲＵ９０１は、第１のＮＤＩＴを送信し、および、ＮＰ−ＷＴＲＵ９０２からＮＤＲＴを待ってもよい。最高レベルの適性分類を満たすＮＰ−ＷＴＲＵ９０２は、この第１のＮＤＩＴ送信に応答してもよく、他のＮＰ−ＷＴＲＵは、状態を更新し、および、ＮＤＲＴで応答しなくてもよい。
【０１００】
ＮＳ−ＷＴＲＵ９０１がＮＳ−ＷＴＲＵ９０２からＮＤＲＴを受信していない場合、ＮＰ−ＷＴＲＵ９０２のいずれも最高レベルの適性分類を満たしていないと判定されてもよい。ＮＳ−ＷＴＲＵ９０１は、第２のＮＤＩＴを送信してもよく、および、第２のレベルの適性分類を満たすＮＰ−ＷＴＲＵ９０２は、たとえば、それらの状態に基づいて、第２のＮＤＩＴに応答してもよい。すべての分類レベルが対応される（accounted for）まで、または、ＮＳ−ＷＴＲＵ９０１がＮＰ−ＷＴＲＵ９０２からＮＤＲＴを受信するまで、プロシージャが繰り返されてもよい。したがって、適性関連分類情報は、ＮＤＲＴの一部として送信される必要がない。しかし、利用可能なＮＰ−ＷＴＲＵがより高い適性分類を満たさない場合、遅延が生じることがあることに留意されたい。
【０１０１】
本明細書に示されるように、ＮＤＲＴを受信した後、ＮＳ−ＷＴＲＵ９０１は、それがＨ−ＷＴＲＵ２０２として選択したＮＰ−ＷＴＲＵ９０２ｉに、アソシエーションメッセージを送信してもよく、および、選択されたＮＰ−ＷＴＲＵは、アソシエーション応答メッセージで応答してもよい。ＮＰ−ＷＴＲＵ９０２ｉがＤＲＸモードでアウェイク状態にあることが要求される時間を制限するために、ＮＤＲＴ送信と、ＮＰ−ＷＴＲＵ９０２ｉによるアソシエーション応答メッセージ受信との間の時間に時間制限が課されてもよい。
【０１０２】
集中化された制御では、アソシエーションメッセージおよびアソシエーション応答メッセージの方向は、分散された制御のものと比較して逆転されることに留意されたい。さらに、復元力（たとえば、事前構成されたタイマまたはカウンタを使用して）は、メッセージが適切に受信されることを保証するために、メッセージの複数の反復を可能にすることによって、アソシエーションメッセージおよびアソシエーション応答メッセージの交換に組み込まれてもよい。
【０１０３】
基本システム情報の取得が本明細書に示される。ＮＰ−ＷＴＲＵ９０２ｉが選択されてＨ−ＷＴＲＵ２０２になるときに、ＮＰ−ＷＴＲＵ９０２ｉは、ＮＳ−ＷＴＲＵ９０１に基本システム情報を送信してもよい。基本システム情報は、ＮＳ−ＷＴＲＵ９０１によって使用されて、選択されたＮＰ−ＷＴＲＵがキャンプオンされている（または選択されたＮＰ−ＷＴＲＵが接続されている）セルにキャンプオンするかを判定してもよい。ＮＳ−ＷＴＲＵ９０１がキャンプオンしているセルは、ＮＰ−ＷＴＲＵ９０２ｉがキャンプオンされている（または接続されている）セルと同一であってもよい。基本システム情報以外のシステム情報は、本明細書において拡張されたシステム情報と称されることに留意されたい。
【０１０４】
基本システム情報は、ＰＬＭＮ識別リスト、トラッキングエリアコード、Ｈ−ＷＴＲＵ２０２に関連付けられたセル識別情報、最新のシステム情報値タグ、システムフレーム番号（ＳＦＮ）、システム情報ブロック１（ＳＩＢ１）からのアクセスクラス除外情報（access class barring information）、または、ＳＩＢ１もしくはＳＩＢ９からの限定加入者グループ（ＣＳＧ）ＩＤを含んでもよい。さらに、基本システム情報はまた、Ｔ−ＷＴＲＵ２０１ツーＨ−ＷＴＲＵ２０２アソシエーションを維持するために必要となる最小のパスロス閾値など、ＸＬ２０３セル選択関連情報を含んでもよい。加えて、基本システム情報はまた、基本システム情報ロケーション以外の、スケジュールされていない制御ゾーン（ＵＣＺ：unscheduled control zone）時間および周波数リソース情報などのＸＬ共通無線リソース構成情報を含んでもよく、それによって、ユニバーサル加入者識別モジュール（ＵＳＩＭ）または電気的消去可能ＰＲＯＭ（ＥＥＰＲＯＭ）などにおいて、基本システム情報ロケーションに関係するＵＣＺが提供されることが予想されてもよい。
【０１０５】
ＸＬ共通無線リソース構成情報はまた、ダウンリンクおよびアップリンクに対する通常制御ゾーン（ＮＣＺ）時間および周波数リソース情報を含んでもよく、これはダウンリンクおよびアップリンクの両方の上で専用制御ゾーン（ＤＣＺ）を定義してもよい。ＸＬ共通無線リソース構成情報は、スケジューリング要求（ＳＲ）メッセージに対する反復、タイマ、もしくは電力オフセット情報と、キープアライブメッセージ、アソシエーションメッセージ、もしくはアソシエーション応答メッセージに対する電力オフセットと、または、Ｈ−ＷＴＲＵとして選択されたメッセージに対する電力オフセットおよびハイブリッド自動再送要求（ＨＡＲＱ）再送信カウントとのいずれかをさらに含んでもよい。
【０１０６】
ＮＳ−ＷＴＲＵ９０１は、そのＲＲＣまたはＮＡＳレイヤを介して、基本システム情報をチェックしてもよく、ならびに、セルにキャンプオンしないことを決定してもよい。たとえば、ＮＳ−ＷＴＲＵ９０１は、選択されたＮＰ−ＷＴＲＵのＰＬＭＮがＮＳ−ＷＴＲＵ９０１の優先ＰＬＭＮ（preferred PLMN）でない場合、または、Ｗ２Ｗポリシに基づいていない場合、セルにキャンプオンしなくてもよい。セルは、選択されたＮＰ−ＷＴＲＵのセル識別がＮＳ−ＷＴＲＵ９０１のＮＡＳのＰＬＭＮにあるとき、または、選択されたＮＰ−ＷＴＲＵのセルが、ローミングに対して禁止されたＴＡのリスト上にある少なくとも１つのトラッキングエリア（ＴＡ）の一部である場合、適切なセルであってもよい。さらに、セルは、選択されたＮＰ−ＷＴＲＵのセル識別がＷ２Ｗポリシについて禁止されていないとき、または、ＣＳＧセルに対するＣＳＧ  ＩＤがＮＳ−ＷＴＲＵ９０１のＣＳＧホワイトリストにあるとき、適切であってもよい。
【０１０７】
緊急コールの場合には、ＮＳ−ＷＴＲＵ９０１は、ＮＰ−ＷＴＲＵ９０２ｉが優先セルまたはＰＬＭＮ（preferred cell or PLMN）にキャンプオンされていない場合でさえ、ＮＰ−ＷＴＲＵ９０２ｉと関連付けてもよい。ＮＰ−ＷＴＲＵ９０２ｉがキャンプオンしているセルが、セルアクセス制限に起因して除外されている（barred）場合（たとえば、アクセスクラス制御情報に基づいて）、ＲＲＣ接続確立を実行するときのみに、ＮＳ−ＷＴＲＵ９０１はそれでもセルにキャンプオンし、および、アクセスクラス制限を検証してもよい。代わりに、ＮＳ−ＷＴＲＵ９０１は、アクセスクラス制限が選択を妨げている場合、ＮＰ−ＷＴＲＵ９０２ｉを選択しなくてもよい。
【０１０８】
ＮＳ−ＷＴＲＵ９０１が、本明細書で示された基準に起因してＮＰ−ＷＴＲＵ９０２ｉと関連付けることを試みていない場合、ＮＳ−ＷＴＲＵ９０１は、ＮＤＲＴで応答した別のＮＰ−ＷＴＲＵとアソシエーション交換をトリガしてもよい。ＮＰ−ＷＴＲＵ９０２ｉは、タイマに基づいて、または、ＮＰ−ＷＴＲＵ９０２ｉと選択されたＮＰ−ＷＴＲＵとの間の他のアソシエーションメッセージを観察することによって、ＮＰ−ＷＴＲＵ９０２ｉがＨ−ＷＴＲＵ２０２になることを選択されなかったと判定してもよい。
【０１０９】
緊急でない場合には、ＮＳ−ＷＴＲＵ９０１は、ＮＰ−ＷＴＲＵ９０２ｉに、ＲＲＣのＨ−ＷＴＲＵとして選択されたメッセージを送信することによって、ＮＰ−ＷＴＲＵ９０２ｉの選択を確認してもよい。ＮＳ−ＷＴＲＵ９０１が初めて、ＴＡにおけるＷ２Ｗカバレッジに移動している場合（たとえば、ＴＡ識別に基づいて判定されたように）、ＮＰ−ＷＴＲＵ９０２ｉは、ＴＡ更新メッセージを使用して、ネットワークに更新を送信してもよい。さらに、ＮＳ−ＷＴＲＵ９０１がトラッキングエリア識別子（ＴＡＩ）に対するＷ２Ｗカバレッジモードのその選択に関してネットワークに通知した場合、ＮＳ−ＷＴＲＵ９０１は、本明細書に示されるように、そのページングおよびＤＲＸ関連構成情報を転送する。
【０１１０】
ＳＩＢ１０／１１からの地震および津波警報サービス（ＥＴＷＳ）、ＳＩＢ１２からの商用モバイル警報システム（ＣＭＡＳ：Commercial Mobile Alert System）情報などの緊急事態関連システム情報（Emergency related system information）は、通知が求められるときには、基地局からＲＲＣ−ＩＤＬＥ状態４１０でＨ−ＷＴＲＵ２０２からＴ−ＷＴＲＵ２０１に中継されてもよく、または、または基本システム情報の一部として中継されてもよい。
【０１１１】
基本システム情報およびＨ−ＷＴＲＵとして選択されたメッセージは、スケジュールされていない方法で、およびＸＬ２０３に対するアップリンクまたはダウンリンク許可の必要なく送信されてもよい。基地局は、そのようなスケジュールされていない送信に対応してもよく（account for）、たとえば他のＸＬ上でスケジュールされた送信へのそれらの影響を判定してもよい。代わりに、ＮＳ−ＷＴＲＵ９０１は、ＸＬ２０３上でのアップリンク送信に対して基地局の許可を取得することをＮＰ−ＷＴＲＵ９０２ｉに要求してもよい。そうするために、ＮＳ−ＷＴＲＵ９０１は、ＮＰ−ＷＴＲＵ９０２ｉにスケジューリング要求（ＳＲ）を送信してもよく、または、物理チャネル上でＳＲインジケーションを設定してもよい。ＮＰ−ＷＴＲＵ９０２ｉはまた、図１２に関して示されるように、基本システム情報および拡張されたシステム情報を送信する際の使用のために、ＸＬ２０３上でダウンリンク許可を要求してもよい。
【０１１２】
図１２は、Ｗ２Ｗカバレッジにおけるリソース割り当てのためのメッセージフローチャートを示している。ＸＬリソースを取得するように要求された場合（１２０２）、ＮＰ−ＷＴＲＵ９０２ｉは、ＲＲＣ−ＣＯＮＮＥＣＴＥＤ状態４２０に遷移する。次に、ＮＰ−ＷＴＲＵ９０２ｉは、ＸＬ２０３上でダウンリンク送信に対するＳＲを送信する（１２０４）。ＳＲは、ＬＴＥにおいて物理アップリンク制御チャネル（ＰＵＣＣＨ）で送信されてもよく、それによって、ＰＵＣＣＨは、ＳＲを搬送するために拡張されてもよい。さらに、ＳＲは、基本システム情報を送信する必要を示してもよい。基地局１１４は、ＳＲを処理し（１２０６）、および、ＮＰ−ＷＴＲＵ９０２ｉにダウンリンクＸＬ送信に対する許可を提供する（１２０８）。
【０１１３】
ＮＰ−ＷＴＲＵ９０２ｉは、許可によって定義されたリソースを使用して、ＮＳ−ＷＴＲＵ９０１に基本システム情報を送信する（１２１０）。本明細書に示されるように、ＮＳ−ＷＴＲＵ９０１は、セル選択の適性チェックを実行する（１２１２）。ＸＬ２０３上でのアップリンク送信に対してリソースを取得するために許可が必要である場合、ＸＬ２０３上でのアップリンク送信に対するＳＲが、基地局１１４にＸＬ２０３およびＰＵＣＣＨを使用して送信される。次に、ＮＳ−ＷＴＲＵ９０１は、ＮＰ−ＷＴＲＵ９０２ｉにＨ−ＷＴＲＵとして選択されたメッセージを送信し（１２１６）、および、ＮＳ−ＷＴＲＵ９０１は、Ｔ−ＷＴＲＵ２０１になり、ＮＰ−ＷＴＲＵ９０２ｉは、Ｈ−ＷＴＲＵ２０２になる。
【０１１４】
ＮＰ−ＷＴＲＵ９０２ｉが選択されていない場合、ＮＳ−ＷＴＲＵ９０１は、別のＮＰ−ＷＴＲＵとアソシエーション情報メッセージを交換し、および、他のＮＰ−ＷＴＲＵから基本システム情報を受信してもよいことに留意されたい。加えて、ＮＳ−ＷＴＲＵ９０１はセルの選択の適性チェックを実行してもよい。
【０１１５】
Ｈ−ＷＴＲＵ２０２が選択された後、Ｔ−ＷＴＲＵ２０１とＨ−ＷＴＲＵ２０２との間のアソシエーションが実行されてもよく、および、ネットワークに登録されてもよい。さらに、構成情報がネットワークから取得されてもよい。分散された制御では、基地局は、Ｓ−ＴＭＳＩ、Ｇｌｏｂａｌｌｙ  Ｕｎｉｑｕｅ  Ｔｅｍｐｏｒａｒｙ  Ｉｄｅｎｔｉｔｙ（ＧＵＴＩ）、およびＩＭＳＩなどのＮＳ−ＷＴＲＵに関連付けられた上位レイヤ識別子を認識しなくてもよい。
【０１１６】
集中化された制御では、Ｔ−ＷＴＲＵ２０１とＨ−ＷＴＲＵ２０２との間のアソシエーションがＭＭＥ１４２への最初の登録であるか（ＴＡ更新（ＴＡＵ）プロシージャからのＴＡリストに基づいて）、または、同一のＭＭＥ内のモビリティもしくは他の理由に起因した後続のアソシエーションであるかに関係なく、当該アソシエーションがネットワークに示されてもよい。Ｔ−ＷＴＲＵ２０１およびＨ−ＷＴＲＵ２０２は、上位レイヤシグナリングを交換して、アソシエーションを形成し、および、ネットワーク承認および構成情報を受信してもよい。他方で、分散された制御では、アソシエーションがＭＭＥ内での最初の登録である場合、または、ＴＡＵプロシージャについてのＴＡ変更に起因してネットワークにアソシエーションを示す必要がある場合、アソシエーションが単にネットワークに示されてもよい。
【０１１７】
図１３は、分散された制御におけるアソシエーション形成のためのメッセージフローチャートを示している。ネットワークは、Ｔ−ＷＴＲＵ２０１とＨ−ＷＴＲＵ２０２との間のアソシエーション形成に対して更新されるように要求する。Ｔ−ＷＴＲＵ２０１は、Ｈ−ＷＴＲＵ２０２にスケジューリング要求メッセージを送信して、Ｔ−ＷＴＲＵ２０１が送信するデータを有していることを示す（１３０２）。Ｈ−ＷＴＲＵ２０２は、基地局１１４にＳＲを転送する。次に、Ｔ−ＷＴＲＵ２０１は、ＲＲＣ接続プロシージャを実行することによって、ＲＲＣ−ＣＯＮＮＥＣＴＥＤ状態４２０に移る（１３０４）。基地局１１４はＳＲを処理し、および、ＸＬ２０３アップリンク送信に対する許可を提供する（１３０５）。ＸＬ２０３アップリンク送信に対する許可は、Ｔ−ＷＴＲＵ２０１がＲＲＣアップリンク情報転送メッセージを送信することができるリソースを提供してもよい。
【０１１８】
ＸＬ２０３アップリンク送信に対する許可を受信した後、Ｔ−ＷＴＲＵ２０１は、Ｈ−ＷＴＲＵ２０２にＲＲＣアップリンク情報転送メッセージを送信する（１３０６）。ＲＲＣアップリンク情報転送メッセージは、Ｔ−ＷＴＲＵ２０１のＮＡＳからのアソシエーション要求メッセージを含んでもよい。アソシエーション要求メッセージは、Ｔ−ＷＴＲＵ２０１およびＨ−ＷＴＲＵ２０２との要求されたアソシエーションに関する情報を含んでもよい。さらに、ＲＲＣアップリンク情報転送メッセージは、現在のＧｌｏｂａｌｌｙ  Ｕｎｉｑｕｅ  ＭＭＥ  Ｉｄｅｎｔｉｆｉｅｒ（ＧＵＭＭＥＩ）、または、Ｓ−ＴＭＳＩ／ＧＵＴＩなどの一時識別子を含んでもよい。アソシエーション要求メッセージは、Ｔ−ＷＴＲＵ２０１暗号化キーに基づいて、ＮＡＳレベルで暗号化され、および、完全性保護されてもよい（integrity-protected）。
【０１１９】
Ｈ−ＷＴＲＵ２０２は、データ無線ベアラ（ＤＲＢ）上で、トンネリングされるＴ−ＷＴＲＵ２０１データメッセージとして、基地局にＲＲＣアップリンク情報転送メッセージを転送する（１３０８）。基地局１１４は、Ｔ−ＷＴＲＵ２０１とＨ−ＷＴＲＵ２０２との間のアソシエーションを登録し、および、Ｔ−ＷＴＲＵ２０１に関連付けられたＭＭＥを識別する。基地局１１４は、Ｔ−ＷＴＲＵ２０１の古いＧｌｏｂａｌｌｙ  Ｕｎｉｑｕｅ  ＭＭＥ  Ｉｄｅｎｔｉｆｉｅｒ（ＧＵＭＭＥＩ）に基づいて、ＭＭＥを判定してもよい。識別されたＭＭＥが基地局に関連付けられていない場合、基地局は、ＭＭＥ選択機能を使用してＭＭＥを選択する。追加のシグナリングは、図１３および本明細書の他の場所で実行されてもよいことに留意されたい。
【０１２０】
ＬＴＥなどのエアインターフェースにしたがったＳ１アプリケーションプロトコル（Ｓ１  ＡＰ）は、ＸＬ２０３アソシエーション情報、ＸＬ２０３共通ページング情報（たとえばＸＬ−ＩＭＳＩ、共通ＤＲＸ）などを含むように構成されてもよい。
【０１２１】
図１４は、アソシエーション形成のためのメッセージフローチャートを示している。基地局は、ＭＭＥ１４２に、Ｓ１  ＡＰ初期Ｔ−ＷＴＲＵメッセージを送信する（１４０２）。ＭＭＥ１４２がＴ−ＷＴＲＵ２０１のコンテキストを認識していない場合、ＭＭＥは、以前にＴ−ＷＴＲＵ２０１に関連付けられていたＭＭＥからＴ−ＷＴＲＵ２０１に関連付けられた識別を要求してもよく（１４０４）、および、識別を受信してもよい（１４０６）。代わりに、ＭＭＥ１４２は、Ｔ−ＷＴＲＵ２０１からＴ−ＷＴＲＵ２０１に関連付けられた識別を要求してもよい。
【０１２２】
さらに、ＭＭＥ１４２は、ホーム加入者サーバ（ＨＳＳ）との認証またはセキュリティに対して、認証・認可・課金（ＡＡＡ）情報に関連付けられたメッセージを交換してもよい（１４０８）。さらに、ＭＭＥ１４２は、装置識別レジスタ（ＥＩＲ）でＴ−ＷＴＲＵ２０１に対してモバイル装置（ＭＥ）識別チェックを実行してもよい（１４１０）。認証、セキュリティ、およびＭＥ識別チェックが完了した後、ＭＭＥ１４２は、Ｔ−ＷＴＲＵ２０１とＨ−ＷＴＲＵ２０２との間のアソシエーションを許可してもよい。緊急コールの場合には、ＭＭＥ１４２は、ＨＳＳとのＡＡＡ情報の交換を見送ってもよい（forego）。
【０１２３】
ＭＭＥ１４２は、Ｔ−ＷＴＲＵ２０１とＨ−ＷＴＲＵ２０２との間のアソシエーションを登録してもよい。ＭＭＥ１４２はまた、Ｔ−ＷＴＲＵ２０１とＨ−ＷＴＲＵ２０２との間の共通のページングを可能にするために、共通ページングサイクル、ＸＬ−ＩＭＳＩなどを生成してもよい。
【０１２４】
次に、ＭＭＥ１４２は、基地局１１４にＳ１  ＡＰ初期コンテキストセットアップ要求メッセージを送信する（１４１２）。Ｓ１  ＡＰ初期コンテキストセットアップ要求メッセージは、Ｔ−ＷＴＲＵ２０１とＨ−ＷＴＲＵ２０２との間のアソシエーションに関連付けられた情報を基地局１１４に提供してもよい。ＬＴＥエアインターフェースに対するＳ１  ＡＰメッセージングは、ＸＬ２０３に対するアソシエーション情報（共通ページングＸＬ−ＩＭＳＩおよび共通ＤＲＸパラメータを含む）を含むように構成されてもよい。ＭＭＥ１４２はまた、Ｔ−ＷＴＲＵ２０１に対するセキュリティコンテキストを基地局１１４に送信してもよく、および、Ｈ−ＷＴＲＵ２０２を介してＴ−ＷＴＲＵ２０１にアソシエーション情報を送信するために使用されることになる構成情報を基地局１１４に転送してもよい。
【０１２５】
基地局１１４は、データメッセージにおいて搬送することができるアソシエーション構成メッセージにおいて、ＭＭＥ１４２から受信されたアソシエーション情報をＨ−ＷＴＲＵ２０２に転送する（１４１４）。本明細書に示されるように、アソシエーション情報は、共通ページングＸＬ−ＩＭＳＩまたは共通ＤＲＸパラメータを含んでもよい。基地局１１４はまた、Ｈ−ＷＴＲＵ２０２にＸＬ２０３上でのダウンリンク送信に対する許可を送信してもよい。Ｈ−ＷＴＲＵ２０２は、アソシエーション構成に基づいて、そのページングおよびＤＲＸを構成してもよい。Ｈ−ＷＴＲＵ２０２は、たとえば、ＸＬ２０３上でのダウンリンク送信に対する許可を使用して、ＲＲＣメッセージにおいてＴ−ＷＴＲＵ２０１にアソシエーション構成を送信する（１４１６）。Ｔ−ＷＴＲＵ２０１は、アソシエーション構成１４１６に基づいてそのレイヤを構成し、および、ＲＲＣメッセージにおいてＨ−ＷＴＲＵ２０２にアソシエーション構成確認を送信する（１４２０）。アソシエーション構成確認は、Ｔ−ＷＴＲＵ２０１が、アソシエーション情報にしたがって構成されたことを示している。
【０１２６】
Ｈ−ＷＴＲＵ２０２は、たとえば、基地局１１４とのＨ−ＷＴＲＵ２０２のＴＲＬ２０４上でのデータメッセージにおいて、基地局１１４にアソシエーション構成確認メッセージを転送する（１４２２）。基地局１１４は、次に、Ｔ−ＷＴＲＵ２０１の構成を示すＳ１  ＡＰ初期コンテキストセットアップ応答をＭＭＥ１４２に送信し、および、Ｔ−ＷＴＲＵ２０１とＨ−ＷＴＲＵ２０２との間のアソシエーションが形成される（１４２６）。
【０１２７】
アソシエーションを形成した後、Ｔ−ＷＴＲＵ２０１およびＨ−ＷＴＲＵ２０２は、アソシエーション情報におけるＤＲＸ構成にしたがって構成されてもよく、したがって、共通ＤＲＸサイクルを有してもよい。Ｔ−ＷＴＲＵ２０１およびＨ−ＷＴＲＵ２０２はまた、ＲＲＣ−ＩＤＬＥ状態４１０に遷移し、ならびに、それらが送信または受信するデータを有していない場合、ＤＲＸを採用してもよい。ＲＲＣ−ＩＤＬＥ状態４１０では、アソシエーションを維持し、ならびに、アソシエーションが有効かつ実行可能であることを保証するために、Ｔ−ＷＴＲＵ２０１およびＨ−ＷＴＲＵ２０２はウェイクアップし、ならびに、キープアライブメッセージを交換してもよい。キープアライブメッセージの交換は、Ｔ−ＷＴＲＵ２０１およびＨ−ＷＴＲＵ２０２の共通ＤＲＸサイクルによって提供される。キープアライブメッセージの交換を通じて、Ｔ−ＷＴＲＵ２０１は、そのＨ−ＷＴＲＵ２０２がＸＬ２０３上でそのロールを実行することができることを検証してもよい。
【０１２８】
図１５は、キープアライブメッセージ交換のためのメッセージフローチャートを示している。Ｔ−ＷＴＲＵ２０１およびＨ−ＷＴＲＵ２０２は、アソシエーションを形成しており（１５０２）、ならびに、両方ともＲＲＣ−ＩＤＬＥ状態４１０にある。Ｔ−ＷＴＲＵ２０１およびＨ−ＷＴＲＵ２０２は、共通ＤＲＸサイクルを有してもよい。Ｈ−ＷＴＲＵ２０２は、ＤＲＸサイクルごとにウェイクアップし、および、Ｔ−ＷＴＲＵ２０１に向けられたページングがＨ−ＷＴＲＵ２０２によって受信されるかを判定する（１５０４）。ページングは、Ｈ−ＷＴＲＵ２０２のＴＲＬ２０４上で受信されてもよい。Ｈ−ＷＴＲＵ２０２は、Ｔ−ＷＴＲＵ２０１にキープアライブメッセージを送信する（１５０６）。キープアライブメッセージは、ページング機会（ＰＯ）の後に、事前定義された数のサブフレーム上で送信されてもよい。
【０１２９】
Ｔ−ＷＴＲＵ２０１はまた、ＤＲＸの間にウェイクアップし、および、ＸＬ参照信号（ＸＲＳ）またはページングが受信されたかを判定する（１５０８）。Ｔ−ＷＴＲＵ２０１はまた、Ｈ−ＷＴＲＵ２０２からキープアライブメッセージを受信してもよい。キープアライブメッセージが受信された場合、Ｔ−ＷＴＲＵ２０１は、事前定義されたリソースを使用して、Ｈ−ＷＴＲＵ２０２にキープアライブメッセージを送信する（１５０９）。Ｈ−ＷＴＲＵ２０２は、事前定義され、または、構成されたリソース上で、Ｔ−ＷＴＲＵ２０１からのキープアライブメッセージの受信を待つ（１５１０）。図１５に示すように、Ｈ−ＷＴＲＵ２０２は、Ｔ−ＷＴＲＵ２０１からキープアライブメッセージを受信する（１２１２）。Ｔ−ＷＴＲＵ２０１は、また、本明細書に示されるように再選択評価を実行する（１２１４）。ＸＬ２０３上での送信に対するデータが存在しない場合、Ｔ−ＷＴＲＵ２０１およびＨ−ＷＴＲＵ２０２は、ＲＲＣ−ＩＤＬＥ状態４１０に留まってもよい。
【０１３０】
キープアライブメッセージは、物理レイヤメッセージシーケンスであってもよく、および、本明細書に示されるようにＸＬ２０３の通常制御ゾーン（ＮＣＺ）で交換されてもよい。キープアライブメッセージはまた、ＤＲＸウェイクアップにおいて、タイミングおよび周波数同期のために微調整（fine tuning）を提供してもよい。
【０１３１】
ＲＲＣ−ＩＤＬＥ状態４１０では、キープアライブメッセージは、モビリティを検出するためにＨ−ＷＴＲＵ２０２およびＴ−ＷＴＲＵ２０１によって使用されてもよい。キープアライブメッセージがＴ−ＷＴＲＵ２０１によって受信されない場合、Ｔ−ＷＴＲＵ２０１は、Ｈ−ＷＴＲＵ２０２とのアソシエーションがもはや有効ではないと判定し、近隣探索をトリガし、ならびに、Ｈ−ＷＴＲＵ２０２とのアソシエーション形成を繰り返し、または、異なるＷＴＲＵとの新たなアソシエーションを形成する。キープアライブメッセージがＨ−ＷＴＲＵ２０２によって受信されない場合、Ｈ−ＷＴＲＵ２０２は、保持されたアソシエーション情報を削除し、および、アソシエーションがもはや有効ではないことをネットワークに示してもよい。ネットワークは、他方では、アソシエーションのコンテキストを消去（clear）してもよい。
【０１３２】
Ｈ−ＷＴＲＵ２０２は、たとえば、そのバッテリ状態が閾値に到達した場合、または、それがそれ自身のデータをサービスしなければならない場合、もしくは適性インデックスパラメータに基づいてサービスしなければならない場合う、ＸＬ２０３を解放してもよい。Ｈ−ＷＴＲＵ２０２は、ＲＲＣアソシエーション解放メッセージを送信することによって、ネットワークまたはＴ−ＷＴＲＵ２０１にＸＬ２０３のリリースを明示的に示してもよい。ＲＲＣアソシエーション解放メッセージを受信すると、ネットワークは、別のＨ−ＷＴＲＵへのＴ−ＷＴＲＵ２０１のＸＬ２０３を転送することを容易にしてもよい。ネットワークはまた、Ｈ−ＷＴＲＵ２０２を介して、Ｔ−ＷＴＲＵ２０１へのＸＬ２０３の転送を示してもよい。
【０１３３】
キープアライブメッセージを交換した後、または、Ｈ−ＷＴＲＵ２０２にキープアライブメッセージを送信する前に、図１５に関して本明細書に示されるように、Ｔ−ＷＴＲＵ２０１は、Ｈ−ＷＴＲＵ再選択評価を実行してもよい。再選択評価を実行することは、Ｈ−ＷＴＲＵ２０２から受信されたキープアライブメッセージの信号強度に基づいてもよい。受信されたキープアライブメッセージの信号強度が閾値を上回る場合、Ｔ−ＷＴＲＵは、ＲＲＣ−ＩＤＬＥ状態４１０に留まってもよく、および、再選択評価を実行しなくてもよい。閾値は、事前定義されてもよく、または、半静的または動的に更新されてもよい。受信されたキープアライブメッセージの信号強度が事前定義された期間に閾値を下回る場合、Ｔ−ＷＴＲＵ２０１は、近隣探索をトリガし、または、別のＨ−ＷＴＲＵを探索する際にネットワーク支援（network assistance）を受信してもよい。ネットワーク支援は、プレゼントＨ−ＷＴＲＵ２０２でＴ−ＷＴＲＵ２０１のＸＬ２０３によって容易にされてもよい。
【０１３４】
Ｔ−ＷＴＲＵ２０１はまた、それがネットワークのカバレッジエリアに移動したかを定期的にチェックし、および、判定してもよい。Ｔ−ＷＴＲＵ２０１は、適切なセルまたは受け入れ可能なセルが見つかったかを判定するために、適性基準またはＷ２Ｗポリシを使用してもよい。Ｔ−ＷＴＲＵ２０１がネットワークまたはインフラストラクチャカバレッジに成功して移動するときに、Ｔ−ＷＴＲＵ２０１は、Ｈ−ＷＴＲＵ２０２にキープアライブメッセージを送信することを停止してもよい。Ｈ−ＷＴＲＵ２０２は、Ｔ−ＷＴＲＵ２０１からのキープアライブメッセージを検出しないことがあるため、Ｈ−ＷＴＲＵ２０２は、Ｔ−ＷＴＲＵ２０１がアソシエーションを維持することを試みないと判定してもよい。代わりに、Ｔ−ＷＴＲＵ２０１は、それがアソシエーションを終了させることを試みることをネットワークまたはＨ−ＷＴＲＵ２０２に明示的に示してもよい。
【０１３５】
Ｈ−ＷＴＲＵ２０２がそのセル再選択プロシージャの一部として新たなセルを選択するグループモビリティでは、基本システム情報に変更がある場合、Ｈ−ＷＴＲＵ２０２は、Ｔ−ＷＴＲＵ２０１を更新してもよい。Ｔ−ＷＴＲＵ２０１は、更新された基本システム情報に基づいて、Ｗ２Ｗカバレッジの適性基準を使用してもよい。トラッキングエリアが変更する場合、および、新たなトラッキングエリアがトラッキングエリアリストの一部でない場合、Ｔ−ＷＴＲＵ２０１はＴＡＵを実行し、および、アソシエーションが有効なままであることをネットワークに通知してもよい。
【０１３６】
アソシエーショントラッキングが本明細書で示される。ＬＴＥシステムでは、ＲＲＣ−ＩＤＬＥモード４１０にあるＷＴＲＵは、ＭＭＥ１４２によってトラッキングエリアレベルで認識される。同様に、Ｗ２Ｗカバレッジでは、ＲＲＣ−ＩＤＬＥ状態４１０にあるＷＴＲＵは、ＭＭＥ１４２によってＴＡレベルで認識されてもよい。さらに、Ｔ−ＷＴＲＵ２０１とＨ−ＷＴＲＵ２０２との間のアソシエーションは、また、ＭＭＥで認識されてもよい。
【０１３７】
Ｔ−ＷＴＲＵ２０１およびＨ−ＷＴＲＵ２０２がＲＲＣ−ＩＤＬＥ状態４１０にあるとき、Ｔ−ＷＴＲＵ２０１とＨ−ＷＴＲＵ２０２との間のアソシエーションは、ＴＡレベルで追跡されてもよく、ならびに、ＭＭＥ１４２によって維持されてもよい。Ｔ−ＷＴＲＵ２０１とＨ−ＷＴＲＵとの間のアソシエーションに変更がある場合（たとえばモビリティに起因して）、アソシエーション情報はＭＭＥ１４２で更新される。アソシエーションが形成されたセルに関連付けられた基地局は、アソシエーション形成の間にアソシエーションを認識してもよいが、アソシエーションが形成された後に、Ｔ−ＷＴＲＵ２０１がＲＲＣ−ＩＤＬＥ状態４１０に移行すれば、アソシエーションのコンテキストを削除してもよい。ＭＭＥ１４２が基地局１１４からアソシエーション情報を受信すると、集中化された制御は、ＭＭＥ１４２によってＴ−ＷＴＲＵ２０１とＨ−ＷＴＲＵ２０２との間のアソシエーションを追跡することが可能にすることに留意されたい。本明細書に示されるように、Ｈ−ＷＴＲＵ選択に先行して、候補ＮＰ−ＷＴＲＵ９０２は、基地局に近隣探索レポートを送信するために、基地局１４はアソシエーションを認識している。
【０１３８】
さらに、Ｔ−ＷＴＲＵ２０１とＨ−ＷＴＲＵ２０２との間のアソシエーションが変更するときに、Ｈ−ＷＴＲＵ２０２は、ＲＲＣ−ＣＯＮＮＥＣＴＥＤ状態４２０に遷移し、および、アソシエーションの変更をネットワークに警告する。
【０１３９】
ＲＲＣ−ＩＤＬＥ状態４１０にあるＴ−ＷＴＲＵ２０１は、オーバヘッドを最小限にするために、１つのみのＨＷＴＲＵ２０２とのアソシエーションを維持してもよい。代わりに、Ｔ−ＷＴＲＵ２０１は、複数のＨ−ＷＴＲＵとのアソシエーションを維持してもよく、および、Ｈ−ＷＴＲＵ２０２とのアソシエーションが失敗した場合、Ｔ−ＷＴＲＵ２０１は、ＸＬ２０３確立に対しバックアップのＨ−ＷＴＲＵとのアソシエーションを当てにしてもよい（resort）。
【０１４０】
代わりに、Ｔ−ＷＴＲＵ２０１およびＨ−ＷＴＲＵ２０２がＲＲＣ−ＩＤＬＥ状態４１０にあるときに、Ｔ−ＷＴＲＵ２０１とＨ−ＷＴＲＵ２０２との間のアソシエーションは、Ｔ−ＷＴＲＵ２０１およびＨ−ＷＴＲＵ２０２によって追跡されてもよい。Ｔ−ＷＴＲＵ２０１は、共通ページングおよびＤＲＸに対して構成されてもよく、ならびに、アソシエーション形成の間に、または、トラッキングエリア更新を使用して、ＸＬ−ＩＭＳＩ、ＸＬ−Ｓ−ＴＭＳＩ、またはＴＡＩリストを受信してもよい。さらに、ＭＭＥ１４２は、共通ページング、および、ＸＬ−ＩＭＳＩ、ＸＬ−Ｓ−ＴＭＳＩ、またはＴＡＩリストを使用して、Ｔ−ＷＴＲＵ２０１と通信してもよい。アソシエーションが形成された後、ＴＡＩリスト内のＴ−ＷＴＲＵ２０１に対する後続のアソシエーション形成更新が、ネットワークに通信されなくてもよく、ならびに、Ｔ−ＷＴＲＵ２０１およびＨ−ＷＴＲＵ２０２によってのみ認識されてもよい。
【０１４１】
Ｔ−ＷＴＲＵ２０１は、Ｈ−ＷＴＲＵとして選択されたメッセージを使用して、Ｈ−ＷＴＲＵ２０２に、そのＸＬ−ＩＭＳＩ、ＸＬ−Ｓ−ＴＭＳＩ、共通ページング、またはＤＲＸ情報を提供してもよい。Ｈ−ＷＴＲＵ２０２は、Ｔ−ＷＴＲＵ２０１の代わりにＸＬ−Ｓ−ＴＭＳＩを監視してもよい。Ｔ−ＷＴＲＵ２０１の代わりにページングメッセージを受信するために、Ｈ−ＷＴＲＵ２０１は、Ｔ−ＷＴＲＵ２０１の共通ページングサイクルを遵守してもよい（adhere to）。
【０１４２】
Ｔ−ＷＴＲＵ２０１が、ＴＡＩリスト上にないトラッキングエリアコード（ＴＡＣ）に属するセルに移動するときに、Ｔ−ＷＴＲＵ２０１は、トラッキングエリア更新（ＴＡＵ）をトリガし、および、ネットワークに通知する。さらに、Ｔ−ＷＴＲＵ２０１は、ＴＡＵとともにそのＸＬ−ＩＭＳＩ、ＸＬ−Ｓ−ＴＭＳＩ、または共通ページング情報を含んでもよい。ネットワークは、Ｔ−ＷＴＲＵ２０１に、新たなＸＬ−ＩＭＳＩもしくはＸＬ−Ｓ−ＴＭＳＩ、または、更新された共通ページング情報を提供するかを判定してもよい。ネットワークがＴ−ＷＴＲＵ２０１に更新された共通ページング情報を提供する場合、ネットワークはまた、共通ページング情報でＨ−ＷＴＲＵ２０２を更新してもよい。
【０１４３】
ＤＲＸでは、Ｔ−ＷＴＲＵ２０１がページングを受信するためにアウェイク状態にある間に、Ｈ−ＷＴＲＵが受信されたページングを処理し、および、Ｔ−ＷＴＲＵ２０１にページングを送信することを可能にするために、ＤＲＸにおけるＴ−ＷＴＲＵ２０１およびＨ−ＷＴＲＵ２０２に対するウェイクアップ期間は、多数のサブフレームによってオフセットされてもよい。
【０１４４】
Ｈ−ＷＴＲＵ２０２は、Ｈ−ＷＴＲＵ２０２にアドレス指定されたページングメッセージ（つまり、Ｈ−ＷＴＲＵ２０２のＴＲＬ２０４に関連付けられたページングメッセージ）を受信するために、ＤＲＸにおいて（共通ＤＲＸサイクルとは別に）第２のページングサイクルを有してもよい。第２のＤＲＸサイクルは、本明細書ではＨ−ＷＴＲＵ専用ＤＲＸサイクルと称される。図１６に関して示されるように、Ｗ２Ｗカバレッジに対するＴ−ＷＴＲＵ２０１およびＨ−ＷＴＲＵ２０１の共通ＤＲＸサイクルは、Ｈ−ＷＴＲＵ２０２の専用ＤＲＸサイクルの長さ、ページングフレーム、もしくは機会に等しく、または、整数倍である、長さ、ページングフレーム、もしくは機会を有してもよい。
【０１４５】
図１６は、共通ＤＲＸサイクルの長さと専用ＤＲＸサイクルの長さとの間の関係を示している。第１のインスタンスでは、共通ＤＲＸサイクルの長さは、専用ＤＲＸサイクルの長さと等しい。図１６における第２のインスタンスでは、共通ＤＲＸサイクルの長さは、専用ＤＲＸサイクルの長さの倍数である。したがって、共通ＤＲＸサイクルに対するＨ−ＷＴＲＵ２０２のウェイクアップ期間は、専用ＤＲＸサイクルに対するウェイクアップ期間と重複し、ならびに、Ｈ−ＷＴＲＵ２０２は、ＸＬ２０３上でのそのロールの結果として、追加的なウェイクアップ期間を負担させられない。
【０１４６】
本明細書に示されるように、Ｔ−ＷＴＲＵ２０１は、アソシエーション形成の間に共通ページングに対して、ＸＬ−ＩＭＳＩまたはＸＬ−Ｓ−ＴＭＳＩで構成されてもよい。ＸＬ−Ｓ−ＴＭＳＩは、Ｔ−ＷＴＲＵ２０１のＳ−ＴＭＳＩと同一であってもよい。加えて、ページングフレーム（ＰＦ）およびページング機会（ＰＯ）は、ＸＬ−ＩＭＳＩに基づいて計算されてもよく、それによって、ＰＦおよびＰＯ計算に使用されるＷＴＲＵ−ＩＤは、ＸＬ−ＩＭＳＩモジュロ１０２４である。
【０１４７】
Ｔ−ＷＴＲＵ２０１のＰＯは、図１７に関して示されるように、サブフレーム（ＳＦ）の数、Ｈ−ＷＴＲＵ２０２のページング機会からオフセットされてもよい。
【０１４８】
図１７は、ページング機会オフセットを示している。Ｈ−ＷＴＲＵ２０２のＰＯは、Ｔ−ＷＴＲＵからの４つのＳＦ、オフセットされる。したがって、Ｈ−ＷＴＲＵ２０２はページングを復号し、および、Ｔ−ＷＴＲＵ２０１がＨ−ＷＴＲＵからページングを受信することができるように、時間内に（in time）ＸＬ２０４でページングを送信してもよい。ＳＦオフセットはネットワークによって構成されてもよく、および、基本システム情報の一部として、または専用シグナリングを介して送信されてもよい。
【０１４９】
Ｈ−ＷＴＲＵ２０２は、ＸＬ−Ｓ−ＴＭＳＩを使用して、Ｔ−ＷＴＲＵ２０１に代わってページングチャネルを監視してもよく、および、そのＳ−ＴＭＳＩを使用して、それ自身のページングを監視してもよい。ネットワークは、Ｔ−ＷＴＲＵ２０１とＨ−ＷＴＲＵ２０２との間のアソシエーションが、ＭＭＥ１４２によって追跡される場合、変更されたＰＯまたはＰＦに基づいて、Ｈ−ＷＴＲＵ２０２をページングするためにＨ−ＷＴＲＵ２０２のＳ−ＴＭＳＩを使用してもよい。Ｔ−ＷＴＲＵ２０１をページングすることに対し、ネットワークは、ＸＬ−Ｓ−ＴＭＳＩによってアドレス指定されたページングを送信してもよく、ならびに、本明細書に示されるように、Ｈ−ＷＴＲＵ２０２は、ＸＬ−Ｓ−ＴＭＳＩに基づいてページングを復号し、および、ＸＬページングチャネル（ＸＰＣＨ）を使用して、スケジュールされていない制御ゾーン（ＵＣＺ）においてＸＬ２０３上でページングを送信してもよい。Ｔ−ＷＴＲＵ２０１はページングを受信し、および、必要に応じてページングに応答してもよい。
【０１５０】
ユニバーサル加入者識別モジュール（ＵＳＩＭ）更新は、Ｗ２Ｗカバレッジモードプロシージャにおいて支援するために実行されてもよい。Ｗ２Ｗポリシは、ＵＳＩＭに記憶され、および、更新されてもよい。Ｗ２Ｗポリシは、セル選択または再選択の一部として、Ｗ２Ｗカバレッジがいつトリガされるかを判定するために使用されてもよい。たとえば、ローミングなしで適切なセルが見つからない場合、Ｗ２Ｗカバレッジがトリガされてもよい。さらに、Ｗ２Ｗカバレッジ制限は、Ｗ２Ｗポリシに基づいて判定されてもよい。
【０１５１】
ＸＬ２０３搬送波周波数（ＰＬＭＮごとまたはＰＬＭＮのセットに対して）、近隣探索情報（ＰＬＭＮごとまたはＰＬＭＮのセットに対して）、または、時間もしくは周波数リソースなどのＸＬ２０３情報、あるいは、近隣探索に対する送信電力は、ＵＳＩＭに記憶されてもよく、ならびに、更新されてもよい。さらに、Ｗ２Ｗカバレッジにおける使用に対するＰＬＭＮ、もしくは、Ｗ２Ｗカバレッジにおいて緊急コールを開始するためのＰＬＭＮ、または、Ｗ２Ｗカバレッジに対する禁止されたＴＡのリストは、ＵＳＩＭに記憶されてもよく、ならびに、更新されてもよい。
【０１５２】
本明細書に示されるように、Ｔ−ＷＴＲＵ２０１とＨ−ＷＴＲＵ２０２との間のＸＬ２０３は、物理（ＰＨＹ）および媒体アクセス制御（ＭＡＣ）レイヤを備える、オープンシステム相互接続（ＯＳＩ）プロトコルに従ってもよい。アップリンクおよびダウンリンクに対し、ＸＬ２０３に対する論理チャネル、トランスポートチャネル、および物理チャネルが本明細書で示される。論理チャネルは、次に、物理チャネルにマッピングされる、トランスポートチャネルにマッピングされる。
【０１５３】
図１８は、ＸＬに対するダウンリンクチャネルおよびダウンリンクチャネルのマッピングを示し、ならびに、図１９は、ＸＬに対するアップリンクチャネルおよびアップリンクチャネルのマッピングを示している。
【０１５４】
クロスリンク物理近隣探索チャネル（ＸＰＮＤＣＨ）は、近隣探索開始送信（ＮＤＩＴ）および近隣探索応答送信（ＮＤＲＴ）を含む、近隣探索送信で使用されるシーケンスを搬送する。ＸＰＮＤＣＨは、ＸＬ許可またはスケジューリングの影響がない（not be subject to）、デフォルトもしくは事前定義されたシンボルまたは副搬送波リソースのロケーションを占有してもよい。ＸＰＮＤＣＨは、事前定義されたアルゴリズムに従って、Ｔ−ＷＴＲＵ２０１またはＨ−ＷＴＲＵ２０２によって導出される符号構成（code configuration）で、符号分割多元接続（ＣＤＭＡ）を利用してもよい。ＸＬ２０３帯域幅がデフォルト周波数リソースを超える場合、ネットワークは、近隣探索容量を増加させるために、ＸＰＮＤＣＨに対して追加的な副搬送波リソースを割り当ててもよい。
【０１５５】
クロスリンク物理許可チャネル（ＸＰＧＣＨ）は、副搬送波割り当て、時分割複信（ＴＤＤ）サブフレームデュプレックススキーム、最大ＸＬ電力、専用ＸＬチャネルコード構成、および参照信号構成などを含む。ＸＬ許可情報を搬送する。ＸＰＧＣＨは、ＸＬ許可またはスケジューリングの影響がない、デフォルトもしくは事前定義されたシンボルのロケーションを占有してもよい。ＸＰＧＣＨは、本明細書に示される、関連付けられたクロスリンク物理ダウンリンクアソシエーションチャネル（ＸＰＤＡＣＨ）の構成に基づいて導出された構成で、周波数分割多元接続（ＦＤＭＡ）またはＣＤＭＡを使用してもよい。ＸＰＧＣＨのスケジュールされていないバージョンは、ＸＬカバレッジモードのみ、ならびにＸＬカバレッジモードおよびＸＬ容量モードの両方で利用可能であってもよい。Ｈ−ＷＴＲＵ２０２  ＸＬ許可は、Ｈ−ＷＴＲＵ２０２からＴ−ＷＴＲＵ２０２へのＸＬ許可送信のＸＬ専用の使用に対して、ＸＰＧＣＨの完全なリソース構成を特定してもよい。さらに、空間分割多元接続（ＳＤＭＡ）、時分割多元接続（ＴＤＭＡ）、ＦＤＭＡ、またはＣＤＭＡは、ＸＰＧＣＨに使用されてもよい。ＸＰＧＣＨは単に、ＸＬ２０３上でダウンリンクに利用可能であってもよい。
【０１５６】
クロスリンク物理ダウンリンクフィードバックチャネル（ＸＰＤＦＢＣＨ）は、ＸＬ２０３上でアップリンクのチャネル状態情報（ＣＳＩ）、およびアップリンクＸＬ２０３データ送信のＡＣＫ／ＮＡＣＫを搬送する。ＸＰＤＦＢＣＨチャネルに対するリソース割り当ては、Ｈ−ＷＴＲＵ２０２  ＸＬ許可に基づいて判定されてもよい。ＸＤＦＢＣＨは、ＳＤＭＡ、ＴＤＭＡ、ＦＤＭＡ、またはＣＤＭＡを使用してもよい。
【０１５７】
クロスリンク物理アップリンクフィードバックチャネル（ＸＰＵＦＢＣＨ）は、ＸＬ２０３に対するダウンリンクのＣＳＩおよびＸＬダウンリンクデータ送信に対するＡＣＫ／ＮＡＣＫを搬送する。ＸＰＵＦＢＣＨのリソース割り当ては、Ｔ−ＷＴＲＵ２０１に対するＸＬ２０３許可に基づいて判定されてもよい。ＸＵＦＢＣＨは、ＳＤＭＡ、ＴＤＭＡ、ＦＤＭＡ、またはＣＤＭＡを使用してもよい。
【０１５８】
クロスリンク物理ダウンリンク制御チャネル（ＸＰＤＣＣＨ）は、Ｔ−ＷＴＲＵ２０１が同一の送信間隔（ＴＴＩ）でＸＰＤＤＣＨを復号するために、データ関連制御情報を搬送する。ＸＰＤＣＣＨに対するリソース割り当ては、Ｈ−ＷＴＲＵ２０２に対するＸＬ２０３許可に基づいて判定されてもよい。ＸＰＤＣＣＨは、ＳＤＭＡ、ＴＤＭＡ、ＦＤＭＡ、またはＣＤＭＡを使用してもよい。
【０１５９】
クロスリンク物理アップリンクアソシエーションチャネル（ＸＰＵＡＣＨ）は、ＸＬ２０３  ＳＲ、ＸＬ２０３測定結果インジケータなどを含む、物理レイヤ制御情報を搬送する。ＸＰＵＡＣＨは、ＸＬ２０３許可またはスケジューリングの影響がない、デフォルトまたは事前定義されたシンボルのロケーションを占有してもよい。ＸＰＵＡＣＨは、ＦＤＭＡまたはＣＤＭＡを使用してもよく、ならびに、ＸＰＵＡＣＨ構成は、ＸＰＮＤＣＨの符号構成に基づいてもよい。
【０１６０】
クロスリンク物理ダウンリンクアソシエーションチャネル（ＸＰＤＡＣＨ）は、ページングインジケータ、アソシエーション情報送信または受信のインジケータまたはメッセージ、およびＸＬ許可またはインジケータなどを含む物理レイヤ制御情報を搬送する。ＸＰＤＡＣＨは、ＸＬ許可またはスケジューリングの影響がない、デフォルトまたは事前定義されたシンボルのロケーションを占有してもよい。ＸＰＤＡＣＨは、ＸＰＮＤＣＨの符号構成に基づいた構成でＦＤＭＡまたはＣＤＭＡを適用してもよい。
【０１６１】
クロスリンク物理アップリンク制御チャネル（ＸＰＵＣＣＨ）は、Ｈ−ＷＴＲＵ２０２がＸＰＵＤＣＨを復号するための必要な制御情報を搬送する。ＸＰＵＣＣＨのリソース割り当ては、Ｔ−ＷＴＲＵ２０１に対するＸＬ許可に基づいて判定されてもよい。ＸＰＵＣＣＨは、ＳＤＭＡ、ＴＤＭＡ、ＦＤＭＡ、またはＣＤＭＡを使用してもよい。
【０１６２】
クロスリンク物理ダウンリンクデータチャネル（ＸＰＤＤＣＨ）は、ＭＡＣレイヤから受信されたダウンリンクＸＬ２０３ユーザデータを搬送する。ＸＰＤＤＣＨのリソース割り当ては、Ｈ−ＷＴＲＵ２０２のＸＬ許可に基づいて判定されてもよい。ＸＰＤＤＣＨは、ＳＤＭＡ、ＴＤＭＡ、ＦＤＭＡ、またはＣＤＭＡを使用してもよい。
【０１６３】
クロスリンク物理ダウンリンク共有アクセスチャネル（ＸＰＤＳＡＣＨ）は、基本システム情報（ＢＳＩ）、および初期構成（ＸＬ２０３許可を含む）などを含む、上位レイヤ制御情報を搬送する。ＸＰＤＳＡＣＨは、ＸＬ２０３許可またはスケジューリングの影響がない、デフォルトまたは事前定義されたシンボルのロケーションを占有してもよい。ＸＰＤＳＡＣＨは、ＦＤＭＡまたはＣＤＭＡを使用してもよく、ならびに、ＸＰＣＳＡＣＨに対する構成は、ＸＰＤＡＣＨの構成に基づいてもよい。トランスポートフォーマットなどのＸＰＤＳＡＣＨを復号するのに必要な情報は、事前定義されてもよい。
【０１６４】
クロスリンク物理アップリンクデータチャネル（ＸＰＵＤＣＨ）は、ＭＡＣレイヤから受信されたＸＬアップリンクユーザデータを搬送する。ＸＰＵＤＣＨに対するリソース割り当ては、Ｔ−ＷＴＲＵ２０１のＸＬ２０３許可に基づいて判定されてもよい。ＸＰＵＤＣＨは、ＳＤＭＡ、ＴＤＭＡ、ＦＤＭＡ、またはＣＤＭＡを使用してもよい。
【０１６５】
クロスリンク物理アップリンク共有アクセスチャネル（ＸＰＵＳＡＣＨ）は、ＸＬ２０３測定結果などを含む上位レイヤ制御情報を搬送する。ＸＰＵＳＡＣＨは、ＸＬ２０３許可またはスケジューリングの影響がない、デフォルトまたは事前定義されたシンボルのロケーションを占有してもよい。ＸＰＵＳＡＣＨは、ＦＤＭＡまたはＣＤＭＡを使用してもよい。ＸＰＵＳＡＣＨに対する構成は、ＸＰＵＡＣＨの構成に基づいてもよい。トランスポートフォーマットなどのチャネルを復号するのに必要な情報は、事前定義されてもよい。
【０１６６】
ＸＬ２０３に対し、ＸＰＮＤＣＨ、ＸＰＤＡＣＨ、ＸＰＵＡＣＨ、ＸＰＤＳＡＣＨ、ＸＰＵＳＡＣＨ、およびＸＰＧＣＨ（本明細書ではスケジュールされていないチャネルと称される）は、ＸＬ２０３許可を必要とせず、それによって、情報は、事前定義されたプロシージャのセットで送信または受信されてもよい。たとえば、Ｈ−ＷＴＲＵ２０２は、ネットワークから許可なく、進行中の近隣アソシエーションプロシージャの間に、Ｔ−ＷＴＲＵ２０２にＢＳＩを送信するためにＸＰＤＳＡＣＨを使用してもよい。さらに、ＸＰＤＳＡＣＨ送信は、ネットワーク許可を必要としないが、チャネルを検出および復号するのに要求されるすべての必要情報を含む事前定義されたプロトコルが後続してもよい（followed）。たとえば、プロトコルは、近隣探索プロシージャにおいてＸＰＤＳＡＣＨが送信されるときに、ＸＰＤＳＡＣＨコーディング、変調、ＭＡＣ  ＰＤＵ情報などを含んでもよい。ＸＰＮＤＣＨ、ＸＰＤＡＣＨ、ＸＰＵＡＣＨ、ＸＰＤＳＡＣＨ、ＸＰＵＳＡＣＨ、およびＸＰＧＣＨがスケジュールされていないため、コンテンションが発生することがある。さらに、異なる直交シーケンスでの拡散など、ＣＤＭＡに対するスキームは、コンテンションの確率を最小限にするために使用されてもよい。したがって、異なるＸＰＤＳＡＣＨは、直交拡散シーケンスを使用して拡散されてもよい。
【０１６７】
他方では、ＸＰＤＦＢＣＨ、ＸＰＵＦＢＣＨ、ＸＰＤＣＣＨ、ＸＰＵＣＣＨ、ＸＰＤＤＣＨ、ＸＰＵＤＣＨ、およびＸＰＧＣＨ（本明細書ではスケジューリングされたチャネルと呼ぶ）は、ＸＬ２０３許可が利用可能な場合、または、ＸＬ２０３許可がネットワークから受信された後に、使用されてもよい。したがって、たとえば、カバレッジ外のＷＴＲＵが近隣アソシエーションプロセスで上位レイヤシグナリングを確立しているときに、ＸＬ２０３物理レイヤ送信は、ネットワークの関与なしで許可される。スケジュールされていないチャネルは、ネットワークとのＴ−ＷＴＲＵ２０１のアソシエーションの欠如に起因して、ＸＬカバレッジモードで使用されてもよい。ＸＬカバレッジモードおよび容量モードの両方において、ＸＬ２０３が確立され、および、許可が受信されるときに、スケジュールされていないチャネルのＸＰＮＤＣＨのみが利用されてもよい。したがって、近隣探索は独立して実行されてもよい。しかし、ＸＬ２０３に特有の通信は、ネットワーク許可に従ってスケジュールされたチャネル上で搬送されてもよい。
【０１６８】
図２０は、ＸＬ２０３のＰＨＹレイヤに対するフレーム構成を示している。フレームｋ  ２０１０ｋおよびフレームｋ＋１  ２０１０ｋ＋１（本明細書において単独ではフレーム２０１０と称される）を図２０に示している。各フレーム２０１０は、１つまたは複数のサブフレーム２０１５０、・・・、２０１５ｉ、・・・、２０１５Ｎを備える（本明細書においてサブフレーム２０１５０−Ｎと総称され、単独で本明細書においてサブフレーム２０１５と称される）。各サブフレーム２０１５は、１つまたは複数のゾーンを備える（本明細書においてゾーン２０１６１−Ｍと総称され、単独で本明細書においてゾーン２０１６と称される）。ゾーン２０１６は、データまたは制御情報の通信に使用されてもよい。
【０１６９】
ＸＬ２０３のフレーム２０１０では、４つのタイプのゾーン２０１６１−Ｍ、近隣探索ゾーン（ＮＤＺ）２０１６ＮＤ、スケジュールされていない制御ゾーン（ＵＣＺ）２０１６ＵＣ、通常制御ゾーン（ＮＣＺ）２０１６ＮＣ、およびデータゾーン（ＤＺ）２０１６Ｄが利用されてもよい。サブフレーム２０１５のゾーン２０１６１−Ｍは、４つタイプのゾーンの１つまたは複数を備えてもよい。本明細書に示されるように、ＮＤＺ２０１６ＮＤ、ＵＣＺ２０１６ＵＣ、およびＮＣＺ２０１６ＮＣは制御情報通信に使用され、ＤＺ２０１６Ｄは、データ通信に使用される。
【０１７０】
ＮＤＺ２０１６ＮＤでは、Ｔ−ＷＴＲＵ２０１は、Ｈ−ＷＴＲＵ２０２に近隣探索開始送信（ＮＤＩＴ）を送信し、および、Ｈ−ＷＴＲＵ２０２から近隣探索応答送信（ＮＤＲＴ）を受信する。ＮＤＺ２０１６ＮＤは、ＮＤＩＴに対して１回、および、ＮＤＲＴに対して１回、フレーム２０１０ごとに２回発生してもよい。代わりに、ＮＤＺ２０１６ＮＤは、サブフレーム２０１６構造の一部と考えられてもよく、それによって、サブフレームは、ＮＤＺ２０１６ＮＤ、すなわち、送信もしくは受信、または、ダウンリンクもしくはアップリンクと同一の方向であってもよい。
【０１７１】
ＵＣＺ２０１６ＵＣは、フレームおきに、代わりに、特定のフレームにあってもよいリソースの所定のセットを有してもよい。ＵＣＺ２０１６ＵＣに対するリソースは、ＳＦＮに基づいてもよい。たとえば、セルにおけるすべてのＸＬ２０３は、同一のフレームにおいてＵＣＺ２０１６ＵＣを有してもよい。ＵＣＺ２０１６ＵＣは、それがロールのために有しているＨ−ＷＴＲＵ２０２に送信するために、Ｔ−ＷＴＲＵ２０１によって使用されてもよい。ＵＣＺ２０１６ＵＣはまた、アソシエーション形成を有効にするために、Ｔ−ＷＴＲＵ２０１に基本システム情報を送信するために、Ｈ−ＷＴＲＵ２０２によって使用されてもよい。Ｔ−ＷＴＲＵ２０１とＨ−ＷＴＲＵ２０２との間の送信は、アソシエーション形成に先行して発生してもよく、ならびに、スケジューリングなしで実行されてもよく、または、基地局１１４からリソースが割り当てられてもよい。複数のＨ−ＷＴＲＵ２０２は、ダイバシティの利点を可能にする同一のＵＣＺ２０１６ＵＣで基本システム情報を送信してもよい。複数のＴ−ＷＴＲＵ２０１からのＨ−ＷＴＲＵ２０２として選択されたメッセージは、同一のＵＣＺ２０１６ＵＣで重複してもよいが、たとえば、物理レイヤスクランブリングを使用して分割されてもよい。
【０１７２】
ＮＣＺ２０１６ＮＣは、サブフレーム２０１６ごとに発生してもよく、および、制御チャネルＸＰＤＣＣＨおよびＸＰＵＣＣＨ、キープアライブメッセージ、ならびにアソシエーションメッセージの送信に使用されてもよい。ＮＣＺ２０１６ＮＣ上で搬送される情報間で多重化することが実行されてもよい。ＤＺ２０１６Ｄは、Ｔ−ＷＴＲＵ２０１とＨ−ＷＴＲＵ２０２との間でデータトランスポートブロック（ＴＢ）を送信するために使用されてもよく、そこでは、ＷＴＲＵがＸＬ２０３の測定を行うことを可能にする参照信号が搬送される。Ｔ−ＷＴＲＵ２０１に対するすべてのユーザデータ（たとえば制御情報を除く）は、ＸＬ２０３上で、ＤＺ２０１６Ｄ上で搬送される。
【０１７３】
ＸＬ−Ｉｎａｃｔｉｖｅ下位状態５２０にあるＷＴＲＵは、単に、ＵＣＺ２０１６ＵＣおよびＮＣＺ２０１６ＮＣで送信または受信してもよい。さらに、ＸＬ−Ａｃｔｉｖｅ下位状態５４０にあるＷＴＲＵは、ＤＺ２０１６Ｄ上で送信または受信してもよい。
【０１７４】
表１は、ＸＬ２０３上で送信または受信されるメッセージ、それらの関連付けられた物理チャネル、トランスポートチャネル、もしくは論理チャネル、ならびに、それらが搬送されるゾーン２０１６の関係を示している。
【０１７５】
【表１−１】
0005898334.tif 000002
【０１７６】
【表１−２】
0005898334.tif 000003
【０１７７】
表１：ＸＬ上で送信または受信されたメッセージ、それらの関連付けられた物理、トランスポートもしくは論理チャネル、ならびに、それらが搬送されるゾーン２０１６の関係
【０１７８】
ＸＬ２０３に対する通信リソースは、ＴＲＬ２０４の通信リソースとは異なる帯域にあってもよく、および、ＴＲＬ２０４のリソースでの帯域外にあると言われてもよい。代わりに、ＸＬ２０３に対する通信リソースは、ＴＲＬ２０４の通信リソースと同一の帯域にあってもよく、および、ＴＲＬ２０４のリソースでの帯域内にあると言われてもよい。
【０１７９】
図２０の代替として、図２１に示すように、異なる物理チャネルは、異なるＸＬ２０３サブフレームに多重化されてもよい。
【０１８０】
図２１は、サブフレームに対する物理チャネル多重化を示している。ＭＡＣレイヤは、論理チャネルの形式で、無線リンク制御ＲＬＣレイヤにサービスを提供する。論理チャネルのタイプは、制御情報および構成情報の送信に使用される制御チャネル、または、データに使用されるトラフィックチャネルのいずれかである。図１８および図１９に関して示されるように、ＸＬ２０３論理チャネルは、ＸＰＣＣＨ、ＸＣＣＣＨ、ＸＤＣＣＨ、およびＸＤＴＣＨを含む。
【０１８１】
ＸＬ２０３のＰＨＹレイヤは、ＸＰＣＨ、ＸＣＣＨ、ＸＤＬ−ＳＣＨ、およびＸＵＬ−ＳＣＨを含むトランスポートチャネルを使用して、ＭＡＣにサービスを提供する。トランスポートチャネル上のデータは、トランスポートブロックへと構成され、および、各ＴＴＩでは、特定サイズの１つのトランスポートブロックが送信されてもよい。空間多重化が使用されるときに、たとえば、ＭＩＭＯでは、２つまでのトランスポートブロックが１つのＴＴＩで送信されてもよい。
【０１８２】
ＸＬ共通制御チャネル（ＸＣＣＣＨ）の論理チャネルは、ＸＬ上で上位レイヤメッセージを交換するために使用されてもよく、および、基本システム情報およびＨ−ＷＴＲＵとして選択されたメッセージを搬送してもよい。ＸＣＣＣＨは、ＸＬ制御チャネル（ＸＣＣＨ）トランスポートチャネルにマッピングされてもよく、これは次にＵＣＺ２０１６ＵＣにおいてＸＰＣＣＨ上で搬送されてもよい。ＸＣＣＣＨ上で送信されるメッセージは、ＸＬアップリンクまたは基地局からのダウンリンク許可を要求しなくてもよい。他のＴ−ＷＴＲＵおよびＨ−ＷＴＲＵのＸＬをスケジューリングするときに、基地局は、ＸＣＣＣＨ上の送信に対応してもよい（account for）。
【０１８３】
実施形態：
【０１８４】
１．ヘルパＷＴＲＵ（Ｈ−ＷＴＲＵ）とのクロスリンク（ＸＬ）を確立するための端末無線送信／受信ユニット（Ｔ−ＷＴＲＵ）。
【０１８５】
２．Ｈ−ＷＴＲＵから基本システム情報を受信するように構成された受信機を備えた、実施形態１に記載のＴ−ＷＴＲＵ。
【０１８６】
３．基本システム情報に基づいて、Ｈ−ＷＴＲＵとのＸＬを確立するかを判定するように構成されたプロセッサをさらに備えた、先行する実施形態のいずれか１つに記載のＴ−ＷＴＲＵ。
【０１８７】
４．Ｈ−ＷＴＲＵとのＸＬを確立することをＴ−ＷＴＲＵが判定するという条件で、Ｔ−ＷＴＲＵは、Ｈ−ＷＴＲＵに、Ｈ−ＷＴＲＵとして選択されたメッセージを送信するように構成された送信機をさらに備えた、先行する実施形態のいずれか１つに記載のＴ−ＷＴＲＵ。
【０１８８】
５．基本システム情報は、公衆陸上移動通信網（ＰＬＭＮ）識別リスト、トラッキングエリアコード、またはＨ−ＷＴＲＵに関連付けられたセル識別を含む、先行する実施形態のいずれか１つに記載のＴ−ＷＴＲＵ。
【０１８９】
６．プロセッサは、Ｔ−ＷＴＲＵが、Ｈ−ＷＴＲＵに関連付けられたセルが除外されているという条件で、Ｈ−ＷＴＲＵとのＸＬを確立しないことを判定する、先行する実施形態のいずれか１つに記載のＴ−ＷＴＲＵ。
【０１９０】
７．プロセッサは、Ｔ−ＷＴＲＵが、緊急呼び出しに対してＸＬを要求とするという条件で、Ｈ−ＷＴＲＵとのＸＬを確立することを判定する、先行する実施形態のいずれか１つに記載のＴ−ＷＴＲＵ。
【０１９１】
８．プロセッサは、ＰＬＭＮが優先ＰＬＭＮではないという条件で、Ｈ−ＷＴＲＵとのＸＬを確立しないことを判定する先行する実施形態のいずれか１つに記載のＴ−ＷＴＲＵ。
【０１９２】
９．Ｈ−ＷＴＲＵとのＸＬを確立しないことをＴ−ＷＴＲＵが判定するという条件で、送信機は、近隣プレゼントＷＴＲＵ（ＮＰ  ＷＴＲＵ）にアソシエーションメッセージを送信するようにさらに構成される、先行する実施形態のいずれか１つに記載のＴ−ＷＴＲＵ。
【０１９３】
１０．ヘルパＷＴＲＵ（Ｈ−ＷＴＲＵ）とのアソシエーションを維持するための端末無線送信／受信ユニット（Ｔ−ＷＴＲＵ）。
【０１９４】
１１．不連続受信（ＤＲＸ）におけるウェイクアップ期間の間に、Ｈ−ＷＴＲＵから第１のキープライブメッセージを受信するように構成された受信機をさらに備えた、実施形態１０に記載のＴ−ＷＴＲＵ。
【０１９５】
１２．Ｈ−ＷＴＲＵに、第２のキープアライブメッセージを送信するように構成された送信機をさらに備えた、実施形態１０または１１のいずれか１つに記載のＴ−ＷＴＲＵ。
【０１９６】
１３．第２のキープアライブメッセージは、Ｔ−ＷＴＲＵがＨ−ＷＴＲＵとのアソシエーションを維持することを試みていることを示す、実施形態１０乃至１２のいずれか１つに記載のＴ−ＷＴＲＵ。
【０１９７】
１４．Ｔ−ＷＴＲＵは、第１のキープアライブメッセージの信号強度に基づいて再選択評価を実行する、実施形態１０乃至１３のいずれか１つに記載のＴ−ＷＴＲＵ。
【０１９８】
１５．第１のキープアライブメッセージの信号がしきい値未満であるという条件で、Ｔ−ＷＴＲＵは、第２のキープアライブメッセージの送信を見送る（forego）、実施形態１０乃至１４のいずれか１つに記載のＴ−ＷＴＲＵ。
【０１９９】
１６．Ｔ−ＷＴＲＵのＤＲＸサイクル長は、Ｈ−ＷＴＲＵのＤＲＸサイクル長に等しい、または、整数倍である、実施形態１０乃至１５のいずれか１つに記載のＴ−ＷＴＲＵ。
【０２００】
１７．Ｔ−ＷＴＲＵのページング機会は、Ｈ−ＷＴＲＵからの所定の数のページング機会、オフセットされる、実施形態１０乃至１６のいずれか１つに記載のＴ−ＷＴＲＵ。
【０２０１】
１８．Ｈ−ＷＴＲＵは、Ｔ−ＷＴＲＵに関連付けられたページングが基地局から受信されるかを判定する、実施形態１０乃至１７のいずれか１つに記載のＴ−ＷＴＲＵ。
【０２０２】
１９．ヘルパ無線送信／受信ユニット（Ｈ−ＷＴＲＵ）選択を制御するための基地局。
【０２０３】
２０．第１の近隣プレゼントＷＴＲＵ（ＮＰ−ＷＴＲＵ）から第１のメッセージを受信するように構成された受信機を備え、第１のメッセージは、近隣シーキングＷＴＲＵ（ＮＳ−ＷＴＲＵ）から近隣探索開始送信（ＮＤＩＴ）の受信を示す、実施形態１９に記載の基地局。
【０２０４】
２１．タイマをスタートするように構成されたプロセッサをさらに備えた、実施形態１９または２０のいずれか１つに記載の基地局。
【０２０５】
２２．プロセッサは、タイマが満了するとＨ−ＷＴＲＵを選択するようにさらに構成された、実施形態１９乃至２１のいずれか１つに記載の基地局。
【０２０６】
２３．Ｈ−ＷＴＲＵに、近隣探索応答メッセージを送信するように構成された送信機をさらに備えた、実施形態１９乃至２２のいずれか１つに記載の基地局。
【０２０７】
２４．近隣探索応答メッセージは、ＮＳ−ＷＴＲＵに関連付けられたクロスリンク（ＸＬ）データを中継するためにの、Ｈ−ＷＴＲＵの選択を示す、実施形態１９乃至２３のいずれか１つに記載の基地局。
【０２０８】
２５．受信機は、第２のＮＰ−ＷＴＲＵから第２のメッセージを受信するようにさらに構成された、実施形態１９乃至２４のいずれか１つに記載の基地局。
【０２０９】
２６．第２のメッセージは、近隣シーキングＷＴＲＵ（ＮＳ−ＷＴＲＵ）から近隣探索開始送信（ＮＤＩＴ）の受信を示す、実施形態１９乃至２５のいずれか１つに記載の基地局。
【０２１０】
２７．タイマが満了する前に、第２のメッセージが受信される実施形態１９乃至２６のいずれか１つに記載の基地局。
【０２１１】
２８．Ｈ−ＷＴＲＵは、第１のＮＰ−ＷＴＲＵまたは第２のＮＰ−ＷＴＲＵである、実施形態１９乃至２７のいずれか１つに記載の基地局。
【０２１２】
２９．第１のＮＰ−ＷＴＲＵは、ＮＤＩＴを受信すると、ＲＲＣ−ＣＯＮＮＥＣＴＥＤ状態に遷移し、および、第２のＮＰ−ＷＴＲＵは、ＮＤＩＴを受信すると、ＲＲＣ−ＣＯＮＮＥＣＴＥＤ状態に遷移する、実施形態１９乃至２８のいずれか１つに記載の基地局。
【０２１３】
具体的において機能および要素が上記示されたが、各機能または要素は、単独でまたは他の機能および要素と任意に組み合わせて使用することができることを当業者は理解されるだろう。さらに、本明細書に記述した方法は、コンピュータまたはプロセッサによって実行するためにコンピュータ可読媒体に組み込まれたコンピュータプログラム、ソフトウェア、またはファームウェアに実装されてもよい。コンピュータ可読媒体の例は、電気信号（有線または無線接続上で送信される）およびコンピュータ可読記憶媒体を含む。コンピュータ可読記憶媒体の例は、リードオンリメモリ（ＲＯＭ）、ランダムアクセスメモリ（ＲＡＭ）、レジスタ、キャッシュメモリ、半導体記憶装置、内蔵型ハードディスクおよび着脱可能ディスクなどの磁気媒体、光磁気媒体、およびＣＤ−ＲＯＭディスクなどの光学式媒体、ならびにデジタル多用途ディスク（ＤＶＤ）などを含むが、これらに限定されない。プロセッサは、ＷＴＲＵ、ＵＥ、端末、基地局、ＲＮＣ、または任意のホストコンピュータで使用される無線周波数送受信装置を実装するように、ソフトウェアと関連して使用されてもよい。
【図１Ａ】
0005898334.tif 000004
【図１Ｂ】
0005898334.tif 000005
【図１Ｃ】
0005898334.tif 000006
【図２Ａ】
0005898334.tif 000007
【図２Ｂ】
0005898334.tif 000008
【図２Ｃ】
0005898334.tif 000009
【図３】
0005898334.tif 000010
【図４】
0005898334.tif 000011
【図５】
0005898334.tif 000012
【図６】
0005898334.tif 000013
【図７】
0005898334.tif 000014
【図８】
0005898334.tif 000015
【図９Ａ】
0005898334.tif 000016
【図９Ｂ】
0005898334.tif 000017
【図１０】
0005898334.tif 000018
【図１１】
0005898334.tif 000019
【図１２】
0005898334.tif 000020
【図１３】
0005898334.tif 000021
【図１４】
0005898334.tif 000022
【図１５】
0005898334.tif 000023
【図１６】
0005898334.tif 000024
【図１７】
0005898334.tif 000025
【図１８】
0005898334.tif 000026
【図１９】
0005898334.tif 000027
【図２０】
0005898334.tif 000028
【図２１】
0005898334.tif 000029